(57)【特許請求の範囲】
【請求項１】
少なくとも第１の添加剤および第２の添加剤を含む燃料用添加剤組成物であって、
−  前記第１の添加剤は、化合物Ａを少なくとも５０質量％で含み、この化合物Ａは、ソルビタンと、１種以上のＣ４−Ｃ３６脂肪酸との部分エステルから選択され、前記部分エステルは、単独でまたは混合物で使用され、および
−  前記第２の添加剤は、四級化剤と第三級アミン官能基を含む窒素含有化合物との反応によって得られた第四級アンモニウム塩であり、前記窒素含有化合物は、炭化水素基で置換されたアシル化剤と、少なくとも１つの第三級アミン基、および第一級アミン、第二級アミンおよびアルコールから選択された基を含む化合物との反応物から選択され、
第２の添加剤に対する第１の添加剤の質量比（第１：第２）が、１０：１〜１：１である、燃料用添加剤組成物。
【請求項２】
請求項１の組成物において、第２の添加剤に対する第１の添加剤の質量比（第１：第２）が、５：１〜１：１である、組成物。
【請求項３】
請求項１または２の組成物において、前記四級化剤は、硫酸ジアルキル、カルボン酸エステル、ハロゲン化アルキル、ハロゲン化ベンジル、炭化水素炭酸エステルおよび炭化水素エポキシ化合物によって構成された群から選択され、酸との混合物または非混合物であり、単独でまたは混合物である、組成物。
【請求項４】
請求項１〜３のいずれか一項に記載の組成物において、前記窒素含有化合物は、炭化水素基で置換されたアシル化剤と、次式（Ｉ）または（ＩＩ）のアミンとの反応物を含む、組成物。
【化１】
0006453911.tif 000026
（式中：
Ｒ１とＲ２は同一または異なって、互いに独立して、１〜２２個の炭素原子を有するアルキル基を表わし；
Ｘは１〜２０個の炭素原子を有するアルキレン基であり；
ｍは１〜５の整数であり；
ｎは０〜２０の整数であり；および
Ｒ３は、水素原子または１〜２２個の炭素原子を有するアルキル基である）
【請求項５】
請求項１〜４のいずれか一項に記載の組成物において、前記脂肪酸は、ステアリン酸、イソステアリン酸、リノレン酸、オレイン酸、リノール酸、ベヘン酸、アラキドン酸、リシノール酸、パルミチン酸、ミリスチン酸、ラウリン酸およびカプリン酸によって構成された群から選択され、これらは単独でまたは混合物で使用される、組成物。
【請求項６】
請求項１〜５のいずれか一項に記載の組成物において、前記化合物Ａは、単独でまたは混合物としてのソルビタンモノ、ジおよびトリエステルから選択される、組成物。
【請求項７】
請求項６に記載の組成物において、前記化合物Ａは、ソルビタントリエステルを４０質量％を越えて含むソルビタン部分エステルから選択される、組成物。
【請求項８】
請求項１〜７のいずれか一項に記載の組成物において、前記組成物は、第３の添加剤をさらに含んでおり、前記第３の添加剤は、次式（Ｖ）のトリアゾール誘導体である、組成物。
【化２】
0006453911.tif 000027
（式中：
・Ｒ１４は、水素原子、直鎖または分岐鎖のＣ１−Ｃ８脂肪族炭化水素基、およびカルボキシル基（−ＣＯ２Ｈ）からなる群から選択され、
・Ｒ１５とＲ１８は同一または異なって、互いに独立して、水素原子、および直鎖または分岐鎖の、飽和又は不飽和の、Ｃ１−Ｃ３３脂肪族炭化水素基からなる群から選択された基を表わし、前記脂肪族炭化水素基は、１つ以上の酸素原子を、カルボニル基（−ＣＯ−）および／またはカルボキシル基（−ＣＯ２Ｈ）として含みまたは含まず、または
前記Ｒ１５およびＲ１８は、Ｒ１５と結合している窒素原子を含む５〜８個の原子とともに環を形成し、この場合、Ｒ１５とＲ１８は同一で、直鎖または分岐鎖の、飽和又は不飽和の、Ｃ１−Ｃ３３脂肪族炭化水素基を構成し、カルボニル基（−ＣＯ−）および／またはカルボキシル基（−ＣＯ２Ｈ）との形状として、１つ以上の酸素原子で置換されまたは置換されず、
・Ｒ１６とＲ１７は同一または異なって、互いに独立して、水素原子、および２〜２００個の炭素原子を有する、直鎖または分岐鎖の、飽和又は不飽和の、環状または非環状の脂肪族炭化水素基から選択された基を表わす）
【請求項９】
請求項８に記載の組成物において、前記トリアゾール誘導体は、式（Ｖ）において、Ｒ１６とＲ１７が同一または異なって、互いに独立しており、水素原子、および数平均分子量（Ｍｎ）２００〜３０００の脂肪族炭化水素基から選択された群を表わす、組成物。
【請求項１０】
請求項８または９に記載の組成物において、前記トリアゾール誘導体は、次式（ＶＩ）によって表わされる、組成物。
【化３】
0006453911.tif 000028
（式中、Ｒ１４、Ｒ１６およびＲ１７は請求項８または９に定義されている。）
【請求項１１】
請求項８または９に記載の組成物において、前記トリアゾール誘導体が次式（ＶＩＩ）によって表わされる、組成物。
【化４】
0006453911.tif 000029
（式中、Ｒ１４、Ｒ１６およびＲ１７は請求項８または９に定義されている。）
【請求項１２】
請求項８または９に記載の組成物において、前記第３の添加剤は、請求項１０および１１にそれぞれ定義される式（ＶＩ）および（ＶＩＩ）のトリアゾール誘導体の混合物を含む、組成物。
【請求項１３】
請求項８〜１２のいずれか一項に記載の組成物において、前記トリアゾール誘導体は、次式（ＶＩＩＩ）のアミノトリアゾールと、次式（ＩＸ）の二酸および／または次式（Ｘ）の無水コハク酸との反応によって得られる、組成物。
【化５】
0006453911.tif 000030
（式中、Ｒ１４、Ｒ１６およびＲ１７は請求項８または９に定義されている。）
【請求項１４】
５００質量ｐｐｍ以下のイオウ含有量を有するディーゼル燃料における、請求項１〜１３のいずれか一項に記載された添加剤組成物の使用。
【請求項１５】
５００質量ｐｐｍ以下のイオウ含有量を有するディーゼル燃料であって、請求項１〜１３のいずれか一項に記載された添加剤組成物を少なくとも５質量ｐｐｍ含む、ディーゼル燃料。
【請求項１６】
請求項１５のディーゼル燃料において、バイオディーゼル燃料を３０体積％以下で含む、ディーゼル燃料。
【請求項１７】
請求項１５または１６に記載のディーゼル燃料において、酸化防止剤、燃料油助燃剤、腐食抑制剤、低温動作添加剤、染料、解乳化剤、金属不活性化剤、消泡剤、セタン価向上剤、潤滑性添加剤、共溶剤および相溶化剤から選択された少なくとも１つ以上の他の添加剤をさらに含む、ディーゼル燃料。
【請求項１８】
請求項１５〜１７のいずれか一項に記載のディーゼル燃料において、第１および第２の添加剤の質量濃度は、それぞれ５〜５０００ｐｐｍの範囲である、ディーゼル燃料。
【請求項１９】
エンジン性能の改善のための、ディーゼルエンジンにおける請求項１５〜１８のいずれか一項に記載されたディーゼル燃料の使用。
【請求項２０】
請求項１９に記載の使用において、前記ディーゼルエンジン中のデポジット発生を抑制するための、使用。
【請求項２１】
請求項１９または２０に記載の使用において、前記エンジンは、直接噴射エンジンである、使用。
【請求項２２】
請求項１９〜２１のいずれか一項に記載の使用において、前記エンジンの燃費を減少（「燃料エコ」効果）させる、使用。
【請求項２３】
請求項１９〜２２のいずれか一項に記載の使用において、前記エンジンの動力の損失を最小限にする、使用。
【請求項２４】
請求項１９〜２３のいずれか一項に記載の使用において、前記エンジンの射出方式の内部成分中のセッケンおよび／またはラッカーのデポジットの発生を制限することによって、前記エンジンの清浄度を維持する（「キープクリーン」効果）、使用。
【請求項２５】
請求項１９〜２４のいずれか一項に記載の使用において、内部部品中のセッケンおよび／またはラッカーのデポジットを、少なくとも部分的に除去することによって、前記エンジンの射出方式の汚染された内部部品を清浄化する（治癒的な「クリーンアップ」効果）、使用。
【発明の詳細な説明】
【技術分野】
【０００１】
本発明は、添加剤組成物、およびそのような添加剤組成物を含んでいる燃料に関する。本発明は、特に、ディーゼル燃料および／またはバイオディーゼル燃料用添加剤組成物に関する。本発明は、さらに、ディーゼルエンジン（特にＥｕｒｏ３〜Ｅｕｒｏ６タイプの燃料噴射装置を有するディーゼルエンジン）のパフォーマンスを改善するための、前記燃料の使用に関する。
【０００２】
上市される燃料は、国内規格または超国家的な規格（例えばＥＵにおけるディーゼル燃料用のＥＮ  ５９０）に従わなければならない。商用燃料については、添加剤に関する法的な義務はない。商用視点から見て、燃料の流通については、「基準価格」燃料（添加剤が少数または添加されない）、および高級グレード燃料（パフォーマンスを通常よりも改善するために、１以上の添加剤が添加される）とは、区別される。
【０００３】
多くの国々では、ディーゼル燃料のイオウ含有量は、環境上の理由から顕著に減少させる対象となっており、特にＳＯ２流出を減少させるため、イオウは減少対象となっている。例えば、ヨーロッパでは、路上乗り物用ディーゼル燃料の最大イオウ含有量は、現在１０質量ｐｐｍである。これらの燃料への潤滑性を与える化合物の損失を補うために、多数の潤滑剤、および／または耐摩耗添加剤、および／または摩擦調整剤が、上市される燃料に導入されている。
【０００４】
これらの添加剤の特性は、特許文献１（ＥＰ９１５９４４）、特許文献２（ＥＰ８３９１７４）および特許文献３（ＥＰ６８０５０６）に広く記載されている。
【０００５】
図１および２に示されるように、所定の高級グレードディーゼル燃料を使用する場合、ディーゼルエンジン（特にＥｕｒｏ３〜Ｅｕｒｏ６タイプのもの）の射出方式のインジェクタ３の針２にデポジット１が発生したことがわかった。すなわち、耐摩耗添加剤、および／または摩擦調整剤、および／またはコークス化するタイプのデポジットに対する添加剤を使用しても、ラッカー発生に対する耐性については、満足性が低く、または非常に不適当ですらあることが多い。これは、用語「ラッカー」に対応するデポジット１の生成に反映される。用語「ラッカー」は、これ以降も使用され、または頭字語であるＩＤＩＤ（ディーゼルインジェクタ内部デポジット：Internal Diesel Injector Deposits）が用いられることもある。
【０００６】
本発明の意味内では、ラッカー発生現象は、射出方式５または５’（図１および３）の外部に存在するデポジットとは関係がない。外部に存在するデポジットはコークス化と関係があり、コークス化は、噴射ノズル４または４’の汚染、または部分的または完全な目詰まり（ノズルの「コークス化」または「汚染」）の原因である。
【０００７】
ラッカー発生とコークス化は、これらのデポジットの原因に関して２つの全く別個の現象であり、一方はデポジットの発生状態（conditions of appearance）であり、他方はこれらのデポジットが生じる場所である。コークス化はディーゼル射出方式の下流にのみ現われる現象である。
【０００８】
図３に示されるように、形成されたデポジット５’は、燃焼室に入る炭化水素の熱分解に起因し、炭素に富むデポジットの外観を有することで特徴づけられる。高圧の直接噴射ディーゼルエンジンの場合には、コークス化への傾向は、あまり見られない。このコークス化は、エンジンテスト基準ＣＥＣ  Ｆ０９８−０８  ＤＷ１０Ｂによって通常シミュレートされる。特にテストされた燃料が金属亜鉛で汚染される場合について、シミュレートされる。
【０００９】
間接噴射を備えたエンジンの場合、直接噴射を備えたエンジンのように燃料の燃焼が燃焼室で直接起こらない。例えば特許文献４（ＵＳ４６０４１０２）に記載しているように、燃料噴射が起こる燃焼室前方には、副燃焼室がある。副燃焼室中の圧力および温度は直接噴射機関の燃焼室の圧力および温度よりも低い。
【００１０】
これらの条件の下では、燃料の熱分解により炭素が発生し、炭素は、インジェクタ（「絞りディーゼルノズル」）のノズル４’表面に付着し、ノズル４’のオリフィス６を目詰まりさせる（図３）。燃焼ガスに晒されたノズル４’の表面だけが、炭素の堆積（コークス化）による危険性を示す。性能の点では、コークス化現象により、エンジン出力の損失が生じる。ラッカー発生は、直接噴射ディーゼルエンジンでのみ発生し、射出方式においてのみ生じる現象である。
【００１１】
図１および２に示されるように、直接噴射ディーゼルエンジンのインジェクタ３は針２を備える。針のリフトにより、燃焼室に高圧で直接注入された燃料の量を正確に制御できる。ラッカー発生は、デポジット１の発生をもたらし、特にインジェクタ３の針２の水平面に現われる（図１および２）。ラッカー発生現象は、ディーゼルおよび／またはバイオディーゼルの燃料用エンジンの射出方式の内部成分において、セッケン（soap）および／またはラッカーが生成することに関係している。ラッカー発生によるデポジット１は、インジェクタ３の針２の端部４に生じる可能性があり、燃料噴射装置の針２の頭部および本体だけでなく、射出方式の針リフト（バルブは図示しない）を制御するための系全体にわたって、生じる可能性がある。この現象は、高級グレードディーゼル燃料を使用しているエンジンについて、特に見受けられる。これらのデポジットが多量に存在する場合、これらのデポジット１によって汚染されたインジェクタ３の針２の可動性がそこなわれる。また、コークス化とは対照的に、ラッカー発生は、エンジン騒音およびスタートの際に生じる問題を増加させる可能性もある。実際、セッケンの、および／またはラッカーのデポジット１によって汚染された針２の部品は、インジェクタ３の内壁に付着するかもしれない。そうなると、針２は遮断され、燃料はもはや通過しない。
【００１２】
ラッカー発生タイプのデポジットは、一般に２つのタイプに分類される：
１．  やや白っぽく、粉末上のデポジット（タイプ１のデポジット）；分析においては、これらのデポジットは、実質的に、ナトリウムセッケン（例えばカルボン酸ナトリウム）、および／またはカルシウムセッケンからなることが分かっている；
２．  針の本体に存在する有色のラッカー状有機物デポジット（タイプ２のデポジット）
タイプ１のデポジットに関して、タイプＢｘのバイオディーゼル燃料にいくつかのナトリウム源がある可能性がある：
・ギ酸ナトリウムなどの、メチルまたはエチル脂肪酸エステルタイプのエステルを製造するための、植物油のエステル交換反応用の触媒；
・ナトリウムはまた、所定のパイプで石油製品を運搬するときに使用される腐食抑制剤（亜硝酸ナトリウムなど）から生じる可能性もある；
・最後に、偶然の外的汚染、例えば、水または空気によって発生する外的汚染により、燃料中へナトリウム（ナトリウムは、非常に一般的な元素である）が混入するかもしれない。
【００１３】
例えば、バイオディーゼルを含む燃料中に、いくつかの酸発生源がある：
ｏ  生物燃料の残存酸［ＥＮ１４２１４（酸の最大の許容レベルを規定する）を参照］
ｏ  所定のパイプで石油製品を運搬するときに使用される腐食抑制剤［例えばＤＤＳＡ（ドデセニルコハク酸無水物）、ＨＤＳＡ（ヘキサデセニルコハク酸無水物）またはそれらの酸などの誘導体］。
【００１４】
タイプ２の有機デポジットに関して、ある刊行物では、コークス化を防ぐために使用されるデポジット還元剤／分散剤（例えばポリアミンに由来したＰＩＢＳＩタイプの清浄剤）と、酸（バイオディーゼルの脂肪酸エステルの不純物としてとりわけ存在する）との間の反応から特に生じることが、記載されている。
【００１５】
非特許文献１（ＳＡＥ  ８８０４９３）「ひまわり油からのラッカーデポジットによる噴射針の可動性阻害」、（M.ZiejewskiおよびH.J.Goettler著）では、ラッカー発生現象、および燃料としてひまわり油を使用した場合の、ラッカー発生現象によって生じるエンジン操作性の阻害を記載している。
【００１６】
非特許文献２（ＳＡＥ  ２００８−０１−０９２６）「内部ディーゼル機関のインジェクタデポジットの発生および予防に関する調査」、（J.Ullmann、M.Geduldig、H.Stutzenberger (Robert Bosch GmbH)およびR.Caprotti、G.Balfour(Infineum)著)では、さらにタイプ２のデポジットについて説明するために酸とデポジット還元剤／分散剤との間の反応を記載している。
【００１７】
さらに、非特許文献３（ＳＡＥインターナショナル  ２０１０−０１−２２４２）「高圧コモンレールディーゼル機関の内部インジェクタのデポジット」（S. Schwab, J. Bennett, S. Dell, J. Galante- Fox、A.KulinowskiおよびKeith T. Miller著）では、インジェクタの内部部品は、裸眼で認識可能なわずかに有色のデポジットにより一般に覆われると記載している。これらの分析により、デポジットは、主にアルケニル−（ヘキサデセニル−あるいはドデセニル−）コハク酸のナトリウム塩であると判断されており；ナトリウムは、乾燥剤、精製所の中で使用される腐食性溶液、釜残水または海水から生じ、コハク二酸は腐食抑制剤として用いられ、または多機能添加剤パッケージの中に存在している。一度形成されると、これらの塩類は低イオウディーゼル燃料において不溶性であり、これらは微粉形状であるため、ディーゼル機関フィルタを通り抜けて、インジェクタの内部で堆積する。この文献では、エンジンテストの開発が記載されており、デポジットの再生が可能となる。
【００１８】
非特許文献４（ＳＡＥインターナショナル  ２０１０−０１−２２５０）、「現代のディーゼル燃料射出方式中のデポジット制御」、（R.Caprotti、N.BhattiおよびG.Balfour著）では、さらにインジェクタ中の同じタイプの内部デポジットを研究し、特に燃料の種類（ディーゼル用またはバイオディーゼル用）とデポジットの外観は関係がなく、また、現代のエンジン（コモンレール）を装備した乗り物の種類（軽車両またはトラック）とデポジットの外観とも関係がないことを、主張している。彼らは、すべてのタイプのデポジット（コークス化およびラッカー発生）に有効な、新規のデポジット還元剤／分散剤の性能を示している。
【００１９】
上に記載しているようなラッカータイプのデポジットが蓄積すると、次の問題が発生し得る：
−  燃料噴射器の応答の遅れ、
−  内部部品の粘着（これらは、噴射時間の制御の損失、および１回の噴射当たりの燃料供給量の損失を起しうる）、
−  乗り物を運転する快適性の低下、
−  出力の変化、
−  燃費の増加、
−  汚染物質の増加、
−  不安定な燃焼（注入された燃料の量が理論上意図されるものではなく、噴射プロフィールが異なるため）、
−  乗り物の不安定なアイドリング、
−  エンジンノイズの増加、
−  長期間での燃焼性の低下、
−  噴霧化性の低下。
【００２０】
ラッカー発生による大量のデポジットが起こりうる場合、噴射に用いられる針が目詰まりするので、乗り物は、発進に際し大きな障害が発生するか、または全く発進することができない。
【先行技術文献】
【特許文献】
【００２１】
【特許文献１】ＥＰ９１５９４４
【特許文献２】ＥＰ８３９１７４
【特許文献３】ＥＰ６８０５０６
【特許文献４】ＵＳ４６０４１０２
【非特許文献】
【００２２】
【非特許文献１】M.ZiejewskiおよびH.J.Goettler著、「ひまわり油からのラッカーデポジットによる噴射針の可動性阻害」、ＳＡＥ  ８８０４９３
【非特許文献２】J.Ullmann、M.Geduldig、H.Stutzenberger(Robert Bosch GmbH)およびR.Caprotti、G.Balfour(Infineum)著、「内部ディーゼル機関のインジェクタデポジットの発生および予防に関する調査」、ＳＡＥ  ２００８−０１−０９２６
【非特許文献３】S. Schwab, J. Bennett,S. Dell, J. Galante- Fox、A.KulinowskiおよびKeith T. Miller著、「高圧コモンレールディーゼル機関の内部インジェクタのデポジット」、ＳＡＥインターナショナル  ２０１０−０１−２２４２
【非特許文献４】R.Caprotti、N.BhattiおよびG.Balfour著、「現代のディーゼル燃料射出方式中のデポジット制御」、ＳＡＥインターナショナル  ２０１０−０１−２２５０
【発明の概要】
【発明が解決しようとする課題】
【００２３】
本発明は、上に示された欠点を克服することを可能にする。
【００２４】
本明細書では、出願人は、２つの特定の添加剤を組み合わせることにより、驚くべき相乗効果が特に得られること、特にインジェクタのデポジットを制御する驚くべき相乗効果が特に得られることを示した。
【００２５】
本発明は、デポジットの制御を明確に改善できる添加剤組成物を提案し、特にディーゼルおよび／またはバイオディーゼル燃料のラッカータイプ（lacquering type）のデポジットの制御を明確に改善できる。本発明は、さらに、コークスタイプ(coking type)のデポジットを制御することができる添加剤組成物、および／またはディーゼルおよび／またはバイオディーゼル燃料の潤滑特性をさらに改善する添加剤組成物に関する。
【００２６】
本発明は、少なくとも第１の添加剤と第２の添加剤を含む燃料用添加剤組成物に関する：
−  前記第１の添加剤は、化合物Ａを少なくとも５０質量％で含み、この化合物Ａは、ポリオールと、飽和又は不飽和の、直鎖または分岐鎖の、環状または非環状のＣ４−Ｃ３６モノカルボキシル脂肪族炭化水素との部分エステルから選択され、前記部分エステルは、単独でまたは混合物で使用され；
−  前記第２の添加剤は、四級化剤と第三級アミン官能基を含む窒素含有化合物との反応によって得られた第四級アンモニウム塩を含み、前記窒素含有化合物は、以下の化合物から選択される。
ａ）  炭化水素基で置換されたアシル化剤と、
少なくとも１つの第三級アミン基、および第一級アミン、第二級アミンおよびアルコールから選択された基を含む化合物との反応物、
ｂ）  第三級アミン基を含むマンニッヒ反応物、
および
ｃ）  少なくとも１つの第三級アミン基を有するポリアルケン基で置換されたアミン類。
【００２７】
特定の実施態様によれば、第２の添加剤に対する第１の添加剤の質量比（第１：第２）は、１００：１〜１：１（好ましくは１０：１〜１：１、さらに好ましくは５：１〜１：１）である。
【００２８】
特定の実施態様によれば、四級化剤は、硫酸ジアルキル、カルボン酸エステル、ハロゲン化アルキル、ハロゲン化ベンジル、炭化水素炭酸エステルおよび炭化水素エポキシ化合物によって構成された群から選択され、任意に、酸との混合物であってもよく、単独でまたは混合物であってもよい。
【００２９】
別の特定の実施態様によれば、窒素含有化合物は、炭化水素基で置換されたアシル化剤と、次式（Ｉ）または（ＩＩ）のアミンとの反応物を含む：
【００３０】
【化１】
0006453911.tif 000002
【００３１】
式中：
Ｒ１とＲ２は同一または異なって、互いに独立して、１〜２２個の炭素原子を有するアルキル基を表わし；
Ｘは１〜２０個の炭素原子を有するアルキレン基であり；
ｍは１〜５の整数であり；
ｎは０〜２０の整数であり；および
Ｒ３は、水素原子または１〜２２個の炭素原子を有するアルキル基である。
【００３２】
別の特定の実施態様によれば、前記化合物Ａは、エステル単位ｘ、水酸基単位ｙ、およびエーテル単位ｚを含み、ｘ、ｙ、およびｚは整数であり、ｘは１〜１０で変化し、ｙは１〜１０で変化し、ｚは０〜６で変化する。特に、前記化合物Ａ中のエステル単位、水酸基単位およびエーテル単位の分布は、ｘは１〜４で変化し、ｙは１〜７で変化し、ｚは１〜３で変化する。
【００３３】
別の特定の実施態様によれば、化合物Ａは、以下の化合物のエステル化によって得られる：
−  任意に１つ以上のエチレンの結合を含む、１種以上のＣ４−Ｃ３６脂肪酸；および
−  ５〜６個の原子の複素環（好ましくは、４〜５個の炭素原子および１個の酸素原子を有し、水酸基で置換された複素環）を任意に含む、直鎖または分岐鎖の、環状または非環状のポリオール。
【００３４】
さらなる実施態様によると、脂肪酸は、ステアリン酸、イソステアリン酸、リノレン酸、オレイン酸、リノール酸、ベヘン酸、アラキドン酸、リシノール酸、パルミチン酸、ミリスチン酸、ラウリン酸およびカプリン酸によって構成された群から選択され、これらは単独でまたは混合物で使用される。
【００３５】
特定の実施態様によると、ポリオールは、（ｉ）３個を越える水酸基を含むポリオール、および（ｉｉ）５〜６個の原子の複素環（好ましくは、４〜５個の炭素原子および１個の酸素原子を有し、任意で水酸基で置換された複素環）を少なくとも１つ含むポリオールから選択される。特に、ポリオールは、４〜５個の炭素原子および１個の酸素原子を有する複素環を少なくとも２つ含み、各環の水酸基のアセタール結合によって連結されているポリオールから選択され、前記複素環は、任意に水酸基で置換されている。
【００３６】
さらなる実施態様によると、ポリオールは、エリトリトール、キシリトール、アラビトール、リビトール、ソルビトール、マルチトール、イソマルチトール、ラクチトール、ボレミトール、マンニトール、ペンタエリトリトール、２−ヒドロキシメチル−１，３−プロパンジオール、１，１，１−トリ（ヒドロキシメチル）エタン、トリメチロールプロパン、ソルビタンおよび炭水化物（スクロース、フルクトース、マルトース、グルコースおよびサッカロースなど）からなる群から選択される。
【００３７】
別の特定の実施態様によれば、化合物Ａは、ソルビタン部分エステル（好ましくは、単独でまたは混合物としてのソルビタンモノ、ジおよびトリエステル；より好ましくはソルビタントリエステルを４０質量％を越えて含むソルビタン部分エステル）から選択される。
【００３８】
別の特定の実施態様によれば、化合物Ａは、１つの分子当たり２〜５個のグリセリン単位を有している、ポリグリセリンのモノエステルおよび／またはジエステルから選択される。特に、化合物Ａは、数による割合として５０％を超える脂肪鎖が１２〜２４個の炭素原子を有している脂肪酸に由来したポリグリセリンのモノエステルおよび／またはジエステルから選択され；好ましくは、化合物Ａは、ジグリセリンおよび／またはトリグリセリンの、モノエステルおよび／またはジエステルから選択され；より好ましくは、ジグリセリンおよび／またはトリグリセリンの部分エステルであって、オレイン酸およびジグリセリンのモノエステルおよび／またはジエステルを少なくとも５０質量％含む部分エステルから選択される。
【００３９】
別の特定の実施態様によれば、添加剤組成物は、第３の添加剤をさらに含んでおり、前記第３の添加剤は、次式（Ｖ）のトリアゾール誘導体を含む：
【００４０】
【化２】
0006453911.tif 000003
【００４１】
式中：
・Ｒ１４は、水素原子、直鎖または分岐鎖のＣ１−Ｃ８脂肪族炭化水素基、およびカルボキシル基（−ＣＯ２Ｈ）からなる群から選択され、
・Ｒ１５とＲ１８は同一または異なって、互いに独立して、水素原子、および直鎖または分岐鎖の、飽和又は不飽和の、Ｃ１−Ｃ３３脂肪族炭化水素基からなる群から選択された基を表わし、前記脂肪族炭化水素基は、任意で、１つ以上の酸素原子を、カルボニル基（−ＣＯ−）および／またはカルボキシル基（−ＣＯ２Ｈ）として含み、
前記Ｒ１５およびＲ１８は、任意で、Ｒ１５と結合している窒素原子を含む５〜８個の原子とともに環を形成し、この場合、Ｒ１５とＲ１８は同一で、直鎖または分岐鎖の、飽和又は不飽和の、Ｃ１−Ｃ３３脂肪族炭化水素基を構成し、任意で、カルボニル基（−ＣＯ−）および／またはカルボキシル基（−ＣＯ２Ｈ）との形状として、１つ以上の酸素原子で置換され、
・Ｒ１６とＲ１７は同一または異なって、互いに独立して、水素原子、および２〜２００個の炭素原子を有する、直鎖または分岐鎖の、飽和又は不飽和の、環状または非環状の脂肪族炭化水素基から選択された基を表わす。
【００４２】
好ましくは、トリアゾール誘導体は式（Ｖ）において、Ｒ１６とＲ１７が同一または異なって、互いに独立しており、水素原子、および数平均分子量（Ｍｎ）２００〜３０００の脂肪族炭化水素基から選択された群を表わす。
【００４３】
別の特定の実施態様によれば、トリアゾール誘導体は、次式（ＶＩ）および／または（ＶＩＩ）によって表わされる：
【００４４】
【化３】
0006453911.tif 000004
【００４５】
式中、Ｒ１４、Ｒ１６およびＲ１７は上に定義されている。
【００４６】
さらなる実施態様によれば、トリアゾール誘導体は、次式（ＶＩＩＩ）のアミノトリアゾールと、次式（ＩＸ）の二酸および／または次式（Ｘ）の無水コハク酸との反応によって得られる：
【００４７】
【化４】
0006453911.tif 000005
【００４８】
式中、Ｒ１４、Ｒ１６およびＲ１７は上に定義されている。
【００４９】
本発明はまた、５００質量ｐｐｍ以下のイオウ含有量を有するディーゼル燃料（好ましくはバイオディーゼル燃料を含む）における、本発明による添加剤組成物の使用に関する。
【００５０】
本発明は、さらに、５００質量ｐｐｍ以下のイオウ含有量を有するディーゼル燃料（好ましくはバイオディーゼル燃料を３０体積％以下で含む）であって、本発明による添加剤組成物を少なくとも５質量ｐｐｍ含むディーゼル燃料に関する。
【００５１】
特定の実施態様によると、燃料は、酸化防止剤、燃料油助燃剤、腐食抑制剤、低温動作添加剤、染料、解乳化剤、金属不活性化剤、消泡剤、セタン価向上剤、潤滑性添加剤、共溶剤および相溶化剤から選択された少なくとも１つ以上の他の添加剤をさらに含む。
【００５２】
第１および第２の添加剤の質量濃度、および任意に加えられる、第３の添加剤の質量濃度は、それぞれ５〜５０００ｐｐｍの範囲である。
【００５３】
本発明はまた、エンジン性能の改善のための、ディーゼルエンジンにおける本発明によるディーゼル燃料の使用に関し、特に：
−  前記ディーゼルエンジン中のデポジット発生の抑制、
−  前記エンジンの燃費の減少（「燃料エコ」効果）、
−  前記エンジンの射出方式の内部成分中のセッケンおよび／またはラッカーのデポジットの発生を制限することによって、前記エンジンの動力の損失を最小限にし、前記エンジンの清浄度を維持すること（「キープクリーン」効果）、
−  内部部品中のセッケンおよび／またはラッカーのデポジットを、少なくとも部分的に除去することによって、前記エンジンの射出方式の汚染された内部部品を清浄化すること（治癒的な「クリーンアップ」効果）。
【００５４】
特定の実施態様によると、エンジンは、直接噴射機関（好ましくは高圧射出方式「コモンレール」）である。
【図面の簡単な説明】
【００５５】
【図１】図１は、高圧の直接噴射ディーゼルエンジンインジェクタの写真である。
【図２】図２は、セッケンおよび／またはラッカータイプ（lacquering）のデポジットで汚染された直接噴射ディーゼルエンジンインジェクタの針の写真である。
【図３】図３は、コークスタイプ（coking）のデポジットで汚染された間接噴射ディーゼルエンジンインジェクタのノズルの写真である。
【図４】図４は、セッケンおよび／またはラッカータイプ（lacquering）のデポジットで汚染された直接噴射ディーゼルエンジンインジェクタの針の写真である。
【発明を実施するための形態】
【００５６】
他の利点および特徴は次の記載からより明らかになるだろう。本発明の特定の実施態様は、非制限的な例として示される。
【００５７】
本発明は添加剤組成物に関し、前記組成物は、少なくとも第１および第２の添加剤、および任意に第３の添加剤を含む。本発明は、さらに、５００質量ｐｐｍ以下のイオウ含有量を有するディーゼル燃料（好ましくはバイオディーゼル）中の、前記添加剤組成物の使用に関する。
【００５８】
［第１の添加剤］
第１の添加剤は、化合物Ａを少なくとも５０質量％で含み、前記化合物Ａは、ポリオールと、飽和又は不飽和の、直鎖または分岐鎖の、環状または非環状の、Ｃ４−Ｃ３６、好ましくはＣ１２−Ｃ２４、より好ましくはＣ１６−Ｃ２０脂肪族モノカルボン酸炭化水素との部分エステルから選択され、前記部分エステルは、単独でまたは混合物で使用されてもよい。
【００５９】
化合物Ａは、好ましくは、エステル単位ｘ、水酸基単位ｙ、およびエーテル単位ｚを含み、ｘ、ｙ、およびｚは整数であり、ｘは１〜１０で変化し、ｙは１〜１０で変化し、ｚは０〜６で変化する。
【００６０】
特定の実施態様によれば、ｘは、１〜１０で変化し、ｙは、３〜１０で変化し、ｚは、０〜６で変化する。
【００６１】
別の特定の実施態様によれば、ｘは、１〜４で変化し、ｙは、１〜７で変化し、ｚは、１〜３で変化する。好ましくは、ｘは２〜４で変化する。
【００６２】
ポリオールの部分エステルの合成はそれ自身公知であり；例えば、（ｉ）脂肪酸と、（ｉｉ）直鎖および／または分岐鎖の、任意でヘテロ環を含んでいてもよい、水酸基を有する５〜６個の原子を含むポリオールと、のエステル化によって調製されてもよい。一般に、この種の合成により、モノ、ジ−、トリ−および任意にテトラエステルの混合物と、少量の脂肪酸および未反応ポリオールが生じる。
【００６３】
特定の実施態様によれば、化合物Ａは、任意で１つ以上のエチレン性結合を含む、１つ以上のＣ４−Ｃ３６（好ましくはＣ１０−Ｃ２４、より好ましくはＣ１２−Ｃ２４）脂肪酸と、５〜６個の原子の複素環（好ましくは水酸基で置換され、４〜５個の炭素原子および１つの酸素原子を有する複素環）を任意に含む、直鎖または分岐鎖の、環状または非環状のポリオールと、のエステル化によって得られる。
【００６４】
脂肪酸は、有利には、ステアリン酸、イソステアリン酸、リノレン酸、オレイン酸、リノール酸、ベヘン酸、アラキドン酸、リシノール酸、パルミチン酸、ミリスチン酸、ラウリン酸およびカプリン酸からなる群から選択され、単独でまたは混合物で使用できる。
【００６５】
脂肪酸は、植物油および／または動物油脂の、エステル交換反応またはけん化から生じてもよい。好ましい植物油および／または動物油脂は、オレイン酸濃度に応じて選択してもよい。例えば、いくつかの植物油および動物油脂の組成物に関する書物（Carburants & Moteurs [Fuels & Engines] by J.C. Guibet and E.Faure, 2007 edition）の第６章の表６．２１を参照してもよい。
【００６６】
脂肪酸は、トール油に由来した脂肪酸（トール油脂肪酸）から生じてもよく、その場合、多量（典型的に９０質量％以上）の脂肪酸と、少量（一般に１０質量％未満）の樹脂酸と非けん化物と、を含む。
【００６７】
ポリオールは、好ましくは、（ｉ）３個を越える水酸基を含む直鎖または分岐鎖のポリオール、および（ｉｉ）任意に水酸基で置換された、５個または６個の原子の環（好ましくは４〜５個の炭素原子および１個の酸素原子の複素環）を少なくとも１つ含むポリオールから選択されてもよい。これらは、単独でまたは混合物で使用できる。
【００６８】
好ましい変形態様によれば、ポリオールは、５個または６個の原子の環（好ましくは、任意に水酸基で置換された、４〜５個の炭素原子および１個の酸素原子の複素環）を少なくとも１つ含むポリオールから選択される。これらは、単独でまたは混合物で使用できる。
【００６９】
別の変形態様によれば、ポリオールは、４個または５個の炭素原子および１個の酸素原子を有する複素環を少なくとも２つ含み、各環の水酸基間がアセタール結合によって連結されたポリオールから選択され、前記複素環は、任意に水酸基で置換されている。
【００７０】
ポリオールは特に、エリトリトール、キシリトール、アラビトール、リビトール、ソルビトール、マルチトール、イソマルチトール、ラクチトール、ボレミトール、マンニトール、ペンタエリトリトール、２−ヒドロキシメチル−１，３−プロパンジオール、１，１，１−トリ（ヒドロキシメチル）エタン、トリメチロールプロパン、ソルビタン、および炭水化物（スクロース、フルクトース、マルトース、グルコースおよびサッカロースなど）から選択され、好ましくはソルビタンである。
【００７１】
特定の実施態様によれば、化合物Ａはソルビタン部分エステルから選択され、好ましくはソルビタンのジ−、モノ−およびトリ−エステルから選択され、これらは、単独でまたは混合物で使用できる。
【００７２】
一変形態様によれば、化合物Ａは、ソルビタントリエステルを４０質量％（好ましくは５０質量％）を越えて含む、ソルビタン部分エステルから選択される。
【００７３】
別の変形態様によれば、化合物Ａはソルビタン部分エステルから選択され、前記ソルビタン部分エステルは、ソルビタンモノエステルを２０質量％を越えて、および／またはソルビタンジエステルを２０質量％を越えて含み；好ましくはソルビタンモノエステルを２０質量％を越えて、および／またはソルビタンジエステルを３０質量％を越えて含み；より好ましくはソルビタンモノエステルを２５質量％を越えて、および／またはソルビタンジエステルを３５質量％を越えて含む。
【００７４】
別の特定の実施態様によれば、化合物Ａは、脂肪酸に由来したポリグリセリンのモノエステルおよび／またはジエステルから選択され、１２〜２４個の炭素原子を有する脂肪鎖を、数による割合として５０％以上有している。そのようなポリグリセリンは、例えば、ＷＯ２０１３／１２０９８５に記載され、これは例として引用され、および／または参照によって本出願に組み入れられる。
【００７５】
化合物Ａは、ジグリセリンの、および／またはトリグリセリンのモノエステルおよび／またはジエステルから好ましくは選択される。
【００７６】
特に、ジグリセリンの、および／またはトリグリセリンの部分エステルは、少なくとも５０質量％の、オレイン酸およびジグリセリンの、モノエステルおよび／またはジエステル［すなわち、ジグリセリンモノオレエート（ＤＧＭＯ）、および／またはジグリセリンジオレエート（ＤＧＤＯ）］；少なくとも５０質量％の、オレイン酸およびトリグリセリンのモノエステルおよび／またはジエステル；または少なくとも５０質量％の、オレイン酸とジグリセリンおよび／またはトリグリセリンとのモノエステルおよび／またはジエステルを含む。
【００７７】
［第２の添加剤］
第２の添加剤は、四級化剤と第三級アミン官能基を含む窒素含有化合物の反応によって得られた第四級アンモニウム塩を含む。第四級アンモニウム塩およびその調製のための方法の例は、例えば、ＵＳ４２５３９８０、ＵＳ３７７８３７１、ＵＳ４１７１９５９、ＵＳ４３２６９７３、ＵＳ４３３８２０６、ＵＳ５２５４１３８およびＷＯ２０１０／１３２２５９に記載され、これらは例として引用され、および／または参照によって本出願に組み入れられる。
【００７８】
本発明の第１の特定の実施態様によれば、窒素含有化合物（ａ）は、（ｉ）炭化水素基で置換されたアシル化剤と、（ｉｉ）少なくとも１つの第三級アミン基と、第一級および第二級アミンまたはアルコールから選択される基とを含む化合物との反応物から選択される。
【００７９】
窒素含有化合物（ａ）は、好ましくは、（ｉ）炭化水素基で置換されたアシル化剤と、（ｉｉ）前記アシル化剤と縮合することが可能である酸素原子または窒素原子と、第三級アミン基とを含む化合物との反応物である。
【００８０】
アシル化剤は有利には、炭化水素基で置換されたモノまたはポリカルボン酸、およびそれらの誘導体から選択され、単独でまたは混合物で用いられる。アシル化剤は、例えば、炭化水素基で置換された、コハク酸、フタル酸およびプロピオン酸から選択される。
【００８１】
アシル化剤の炭化水素置換基は、好ましくは、少なくとも８個（好ましくは少なくとも１２個、例えば３０〜５０個）の炭素原子を含む。前記炭化水素置換基はおよそ２００個までの炭素原子を含んでいてもよい。
【００８２】
アシル化剤の炭化水素置換基は、好ましくは、数平均分子量（Ｍｎ）１７０〜２８００（例えば２５０〜１５００、より好ましくは５００〜１５００、およびさらに好ましくは５００〜１１００）である。Ｍｎの範囲は、特に７００〜１３００（例えば７００〜１０００）が好ましい。
【００８３】
アシル化剤を置換する炭化水素基の例として、ｎ−オクチル、ｎ−デシル、ｎ−ドデシル、テトラプロペニル、ｎ−オクタデシル、オレイル、オクタデシル、またはトリアコンチルが挙げられる。
【００８４】
アシル化剤の炭化水素置換基は、２〜１０個の炭素原子を有しているモノオレフィンおよびジオレフィン（例えばエチレン、プロピレン、１−ブテン、イソブテン、ブタジエン、イソプレン、１−ヘキセンまたは１−オクテン）の単独重合体または共重合体（例えばコポリマー、ターポリマー）から得られてもよい。好ましくは、これらのオレフィンは１−モノオレフィンである。
【００８５】
アシル化剤の炭化水素置換基は、これらの単独重合体または共重合体（inter-polymers）のハロゲン化類似体（例えば、塩素化または臭素化類似体）であってもよい。
【００８６】
一変形態様によれば、アシル化剤の炭化水素置換基は他の化合物から得られてもよく、例えば、高分子量のアルケンのモノマー（例えば１−テトラコンテン）、それらの塩素化または塩化水素化された類似体から、脂肪族の石油留分（例えばパラフィンワックス）、それらの分解、塩素化または塩化水素化された類似体から、ホワイト油から、例えば、チーグラーナッタ工程によって製造された合成アルケン（例えばポリエチレングリース）から、および当業者に公知である他の源から得られてもよい。
【００８７】
アシル化剤の炭化水素基中のいかなる不飽和も、水素添加や任意の公知である工程によって、減少または除去されてもよい。
【００８８】
「炭化水素」基とは、主として脂肪族炭化水素形質を有していて、分子残基に炭素原子が直接結合するいかなる基であってもよい。
【００８９】
本発明による炭化水素基はまた、非炭化水素基を含んでいてもよい。例えば、非炭化水素基により、炭化水素の主たる形質が著しく変わらなければ、１０個の炭素原子当たり１個までの非炭化水素基を含んでいてもよい。当業者に周知である非炭化水素基の例としては、水酸基、ハロゲン（特に塩素およびフッ素）、アルコキシ基、アルキルメルカプト基およびアルキルスルホキシ基が挙げられる。
【００９０】
しかしながら、そのような非炭化水素基を含んでいない炭化水素置換基であって、脂肪族炭化水素の純粋な形質を有しているものが好ましい。
【００９１】
アシル化剤の炭化水素置換基は好ましくは実質的に飽和であり、例えば、炭素−炭素単結合１０個からなる部分につき、不飽和の炭素−炭素結合を１個を越えて含んでいない。
【００９２】
アシル化剤の炭化水素置換基は、有利には、炭素−炭素結合５０個ごとにつき、最高で１個の非芳香族の不飽和の炭素−炭素結合を含んでいる。
【００９３】
好ましい特定の実施態様によれば、アシル化剤の炭化水素置換基は、先行技術において公知であるポリイソブテンから好ましくは選択される。好ましくは、ヒドロカルビル基で置換されたアシル化剤は、ポリイソブテニル無水コハク酸（ＰＩＢＳＡ）である。
【００９４】
ポリイソブテニル無水コハク酸（ＰＩＢＳＡ）の調製は、既に知られている。例えば、ＵＳ３３６１６７３およびＵＳ３０１８２５０に記載されているポリイソブテン（ＰＩＢ）と無水マレイン酸との反応を含む方法、またはＵＳ３１７２８９２に記載されている無水マレイン酸とハロゲン化された（特に塩素化された）ポリイソブテン（ＰＩＢ）の反応を含む方法が、例示される。
【００９５】
一変形態様によれば、ポリイソブテニル無水コハク酸は、ポリオレフィンを無水マレイン酸と混合し、その後、この混合物に塩素を通過させることにより調製されてもよい（ＧＢ９４９  ９８１）。
【００９６】
特に、反応性の高いポリイソブテン（ＰＩＢ）が使用されるのが好ましい。「反応性の高いポリイソブテン（ＰＩＢ）」とは、ＥＰ０５６５２８５に記載されるような、末端のオレフィンの二重結合の少なくとも５０％（好ましくは少なくとも７０％以上）がビニリデンタイプであるポリイソブテン（ＰＩＢ）を意味する。特に好ましいＰＩＢは、ＥＰ１３４４７８５に記載されるような、末端のビニリデン基を、８０ｍｏｌ％を越えて１００ｍｏｌ％まで有するものである。
【００９７】
例えばＷＯ２００７／０１５０８０に記載されるような、内部オレフィンを含む他の炭化水素基も使用されてもよい。
【００９８】
内部オレフィンは、非アルファ二重結合を主として含むいかなるオレフィンも意味し、ベータオレフィン、または、より高次のオレフィンである。
【００９９】
好ましくは、これらの材料は実質的にベータオレフィンまたは高次オレフィンであり、例えばα‐オレフィンを１０質量％未満（有利には５質量％未満で、または２質量％未満）で含んでいる。
【０１００】
内部オレフィンは、任意の公知の工程によるα‐オレフィンの異性化反応によって調製されてもよい。
【０１０１】
アシル化剤と縮合することが可能である酸素原子または窒素原子、および第三級アミン基を含む化合物は、例えば以下の群から選択されてもよい：Ｎ，Ｎ−ジメチルアミノプロピルアミン、Ｎ，Ｎ−ジエチルアミノプロピルアミン、Ｎ，Ｎ−ジメチルアミノエチルアミン。前記化合物は、さらに、アルキルアミンで置換された複素環式化合物から選択されてもよい。例えば、１−（３−アミノプロピル）イミダゾールおよび４−（３−アミノプロピル）モルフォリン、１−（２−アミノエチル）ピペリジン、３，３−ジアミノ−Ｎ−メチルジプロピルアミンおよび３’，３−ビスアミノ（Ｎ，Ｎ−ジメチルプロピルアミン）などが挙げられる。
【０１０２】
アシル化剤と縮合することが可能である酸素原子または窒素原子、および第三級アミン基を含む化合物も、アルカノールアミンから選択されてもよく、特に限定されないが、以下を含む：トリエタノールアミン、トリメタノールアミン、Ｎ，Ｎ−ジメチルアミノプロパノール、Ｎ，Ｎ−ジメチルアミノエタノール、Ｎ，Ｎ−ジエチルアミノプロパノール、Ｎ，Ｎ−ジエチルアミノエタノール、Ｎ，Ｎ−ジエチルアミノブタノール、Ｎ，Ｎ，Ｎ−トリス（ヒドロキシエチル）アミン、Ｎ，Ｎ，Ｎ−トリス（ヒドロキシメチル）アミン、Ｎ，Ｎ，Ｎ−トリス（アミノエチル）アミン、Ｎ，Ｎ−ジブチルアミノプロピルアミン、およびＮ，Ｎ，Ｎ’−トリメチル−Ｎ’−ヒドロキシエチル−ビスアミノエチルエーテル、Ｎ，Ｎ−ビス（３−ジメチルアミノプロピル）−Ｎ−イソプロパノールアミン、Ｎ−（３−ジメチルアミノプロピル）−Ｎ，Ｎ−ジイソプロパノールアミン、Ｎ’−（３−（ジメチルアミノ）プロピル）−Ｎ，Ｎ−ジメチル−１，３−プロパンジアミン；２−（２−ジメチルアミノエトキシ）エタノールおよびＮ，Ｎ，Ｎ’−トリメチルアミノエチルエタノールアミン。
【０１０３】
特定の実施態様によれば、窒素含有化合物（ａ）は、炭化水素基で置換されたアシル化剤と、次式（Ｉ）または（ＩＩ）のアミンとの反応物を含む：
【０１０４】
【化５】
0006453911.tif 000006
【０１０５】
式中：
Ｒ１とＲ２は同一または異なって、互いに独立して、１〜２２個の炭素原子を有するアルキル基を表わし；
Ｘは１〜２０個の炭素原子を有するアルキレン基であり；
ｍは１〜５の整数であり；
ｎは０〜２０の整数であり；および
Ｒ３は水素原子またはＣ１−Ｃ２２アルキル基である。
【０１０６】
窒素含有化合物（ａ）が式（Ｉ）のアミンを含む場合、Ｒ３は、有利には水素原子またはＣ１−Ｃ１６アルキル基（好ましくはＣ１−Ｃ１０アルキル基、さらに好ましくはＣ１−Ｃ６アルキル基）であり、Ｒ３は、例えば、水素、メチル、エチル、プロピル、ブチルおよびそれらの異性体からなる群から選択されてもよい。好ましくは、Ｒ３は水素原子である。
【０１０７】
窒素含有化合物（ａ）が式（ＩＩ）のアミンを含む場合、ｍは、好ましくは２または３であり、より好ましくは２であり；ｎは、好ましくは０〜１５（より好ましくは０〜１０、さらに好ましくは０〜５）の整数である。好ましくは、ｎは０であり、式（ＩＩ）の化合物はアルコールである。
【０１０８】
好ましい実施態様によれば、窒素含有化合物（ａ）は、炭化水素基で置換されたアシル化剤と、式（Ｉ）のジアミンとの反応物である。
【０１０９】
Ｒ１とＲ２は、互いに独立して、アルキル基を形成するために、Ｃ１−Ｃ１６アルキル基（好ましくはＣ１−Ｃ１０アルキル基）を表してもよい。Ｒ１とＲ２は、互いに独立して、メチル、エチル、プロピル、ブチル、ペンチル、ヘキシル、ヘプチル、オクチル、またはそれらの異性体を表してもよい。好ましくは、Ｒ１とＲ２は、互いに独立して、Ｃ１−Ｃ４基（好ましくはメチル基）を表わす。
【０１１０】
Ｘは、１〜１６個の炭素原子（好ましくは１〜１２個の炭素原子、より好ましくは１〜８個の炭素原子、例えば、２〜６個の炭素原子または２〜５個の炭素原子）を有するアルキレン基を好ましくは表わす。Ｘは有利にはエチレン基、プロピレン基またはブチレン基（特にプロピレン基）を表わす。
【０１１１】
第２の添加剤の第四級アンモニウム塩は、例えば、国際出願ＷＯ２００６／１３５８８１に記載している調製方法によって得られてもよい。
【０１１２】
好ましい変形態様によれば、窒素含有化合物（ａ）は、（ｉ）炭化水素基で置換されたコハク酸の誘導体（好ましくはポリイソブテニル無水コハク酸）と、（ｉｉ）第三級アミン基を含むアルコールまたはアミンとの反応物である。
【０１１３】
所定の条件の下では、炭化水素基で置換されたコハク酸誘導体は、スクシンイミド（閉環型）を形成するために、第三級アミン基を含むアミンと反応する。
【０１１４】
一変形態様によれば、コハク酸誘導体およびアミンの反応は所定の条件の下でコハク酸アミド（つまりアミド基およびカルボン酸基（開環型）を含む化合物）をもたらしてもよい。
【０１１５】
別の変形態様によれば、さらに第三級アミン基を含むアルコールは、エステルを形成するためにコハク酸誘導体と反応する。このエステル分子はまた、遊離のカルボキシル基−ＣＯ２Ｈ（開環型）を含む。
【０１１６】
したがって、所定の実施態様では、窒素含有化合物（ａ）は、コハク酸誘導体とアミンまたはアルコールとの反応物である、エステルまたはアミドであってもよく、前記反応物は、さらに未反応のカルボキシル基−ＣＯ２Ｈ（開環型）を含んでいてもよい。
【０１１７】
本発明の別の特定の実施態様によれば、窒素含有化合物（ｂ）は、第三級アミン基を含むマンニッヒ反応物から選択される。
【０１１８】
窒素含有化合物［特に窒素含有化合物（ｂ）］から形成された第四級アンモニウム塩の調製は、ＵＳ２００８／００５２９８５に例えば記載されている。
【０１１９】
第三級アミン基を含むマンニッヒ反応物は、炭化水素基で置換されたフェノール、アルデヒドおよびアミンの反応によって調製される。前記フェノールの炭化水素置換基は６〜４００個の炭素原子（有利には３０〜１８０個の炭素原子、例えば１０〜１１０個、または４０〜１１０個の炭素原子）を含んでいてもよい。
【０１２０】
前記フェノールの炭化水素置換基はオレフィンまたはポリオレフィンに由来してもよい。例えば、ｎ−１−デセンのようなα‐オレフィンが挙げられる。
【０１２１】
フェノールの炭化水素置換基を形成するポリオレフィンは、公知である任意の重合工程でオレフィンモノマーを重合することにより調製されてもよい。好ましくは、ポリオレフィンは、数平均分子量（Ｍｎ）４００〜３０００（好ましくは４００〜２５００、より好ましくは４００〜１５００、または５００〜１５００）のポリイソブチレンから選択される。
【０１２２】
炭化水素基で置換されたフェノールは、アルキル化の従来法を使用して、上述するオレフィンまたはポリオレフィン（ポリイソブチレンまたはポリプロピレンなど）によるフェノールのアルキル化によって調製してもよい。
【０１２３】
一変形態様によれば、フェノールは、低分子量の１つ以上のアルキル基で置換されてもよい。例えば、２８未満（好ましくは２４未満、より好ましくは２０未満、さらに好ましくは１８未満、より好ましくは１６、より好ましくは１４）の炭素原子を有する１つ以上のアルキル鎖を有するフェノールが挙げられる。
【０１２４】
好ましくは４〜２０個（好ましくは６〜１８個、より好ましくは８〜１６個、さらに好ましくは１０〜１４個）の炭素原子を有するモノアルキルフェノール、例えばＣ１２アルキル基で置換されたフェノールが好ましい。
【０１２５】
マンニッヒ反応物の形成のために使用されるアルデヒドは、１〜１０個の炭素原子を含んでいてもよく、一般にホルムアルデヒドまたはその反応等価物［ホルマリン（メタノールとホルムアルデヒド）またはパラ−ホルムアルデヒドなど］である。
【０１２６】
マンニッヒ反応物の形成のために使用されるアミンは、モノアミンまたはポリアミンであってもよい。
【０１２７】
非制限的なモノアミンの例として、エチルアミン、ジメチルアミン、ジエチルアミン、ｎ‐ブチルアミン、ジブチルアミン、アリルアミン、イソブチルアミン、ココアミン、ステアリルアミン、ラウリルアミン、メチルラウリルアミン、オレイルアミン、Ｎ−メチルオクチルアミン、ドデシルアミン、ジエタノールアミン、モルフォリンおよびオクタデシルアミンが挙げられる。
【０１２８】
ポリアミンは、２つ以上のアミン基を含む化合物から選択される。非制限的なポリアミンの例として、例えば、アルキレン基が１〜６個（好ましくは１〜４個、より好ましくは２〜３個）の炭素原子を有しているポリアルキレンポリアミンが挙げられる。好ましいポリアミンはポリエチレンポリアミンである。
【０１２９】
ポリアミンは２〜１５個の窒素原子（好ましくは２〜１０個の窒素原子、好ましくは２〜８個の窒素原子）を含んでいてもよい。
【０１３０】
好ましい変形態様によれば、マンニッヒ反応物の形成のために使用されるアミンは、ジアミンを含み、このジアミンは、好ましくはマンニッヒ反応に関与する第一級または第二級アミン、および第三級アミンを含む。
【０１３１】
特定の実施態様では、窒素含有化合物（ｂ）は、マンニッヒ反応によって直接得られる反応物を含み、この反応物は第三級アミンを含む。例えば、前記アミンは、マンニッヒ反応に関係する第一級または第二級アミン基を１つ、および第四級化可能な第三級アミンを含む。
【０１３２】
一変形態様によれば、アミンは、マンニッヒ反応に関与し得る第一級または第二級アミン、および第四級化可能な第三級アミンを含む。
【０１３３】
別の変形態様によれば、窒素含有化合物（ｂ）はマンニッヒ反応によって得られ、次に、第三級アミンを得るための反応に供されてもよく、例えば第二級アミンを含み、マンニッヒ反応によって得られた中間物を使用し、その後、第二級アミンを生じさせるために、例えばアルキル化によって修飾されてもよい。
【０１３４】
本発明の第３の特定の実施態様によれば、窒素含有化合物（ｃ）は、少なくとも１つの第三級アミン基を有するポリアルケン基（ポリアルキレンとも称される）で置換されたアミンから選択される。
【０１３５】
窒素含有化合物（ｃ）から形成された第四級アンモニウム塩の調製は、例えばＵＳ２００８／０１１３８９０に記載されている。
【０１３６】
少なくとも１つの第三級アミン基を有するポリアルケン基で置換されたアミンは、ポリオレフィンおよびアミンに由来してもよく、前記アミンは、例えばアンモニア、モノアミン、ポリアミンであってもよく、単独でまたは組み合せて使用できる。前記アミンは、公知である任意の方法（例えばＵＳ２００８／０１１３８９０に記載された方法）によって調製されてもよい。
【０１３７】
非制限的な例として、アミンとハロゲン化されたオレフィンポリマーとの反応；ポリアミンとヒドロホルミル化されたオレフィンとを反応させた反応生成物の水素添加；ポリアルケンを対応するエポキシ化合物へ転換させ、次いで還元アミノ化による前記エポキシ化合物のアミノ化ポリアルケンへの転換；β−アミノニトリルの水素添加；および触媒、ＣＯおよびＨ２の存在下、高圧および高温でのポリブテンまたはポリイソブチレンのヒドロホルミル化；などが挙げられる。
【０１３８】
オレフィンポリマーを生じさせるオレフィンモノマーは、１つ以上のエチレン性不飽和の存在によって特徴づけられた重合性オレフィンモノマーを含み、例えば、エチレン、プロピレン、１−ブテン、イソブテン、１−オクテン、１，３−ブタジエンおよびイソプレンが挙げられる。オレフィンモノマーは一般に重合性末端を有するオレフィンである。しかしながら、重合性内部オレフィンモノマーもポリアルケンの形成のために使用されてもよい。
【０１３９】
非制限的な実施例として、公知である任意の工程によってポリアルケンを調製するために使用されてもよい末端および内部オレフィンモノマーは次のとおりである：エチレン；プロピレン；１−ブテン、２−ブテンおよびイソブチレンを含むブテン；１−ペンテン；１−ヘキセン；１−ヘプテン；１−オクテン；１−ノネン；１−デセン；２−ペンテン；プロピレン四量体；ジイソブチレン；イソブチレン三量体；１、２−ブタジエン；１，３−ブタジエン；１，２−ペンタジエン；１，３−ペンタジエン；１，４−ペンタジエン；イソプレン；５−ヘキサジエン；２−メチル−５−プロピル−１−ヘキセン；３−ペンテン；４−オクテン；および３，３−ジメチル−１−ペンテン。
【０１４０】
ポリイソブチレンの誘導体で置換されたアミンが、好ましくは選択される。
【０１４１】
ポリアルケン基で置換されたアミンを調製するために使用されるアミンは、アンモニア、モノアミン、ポリアミンから選択され、これらは単独でまたは混合物として使用でき、異なるモノアミンの混合物、異なるポリアミンの混合物、およびモノアミンおよびポリアミン（ジアミンを含む）の混合物を含んでいてもよい。前記アミンは脂肪族炭化水素、芳香族炭化水素および複素環式炭化水素、ならびに炭素環式のアミンを含む。
【０１４２】
モノマーとポリアミンは有利には少なくとも１つの第一級または第二級アミンを含む。
【０１４３】
モノアミンは、１個から約５０個の炭素原子（好ましくは１〜３０個の炭素原子）を有している炭化水素基と一般に置換される。飽和脂肪族炭化水素の置換基が特に好まれる。例えば、メチルアミン、エチルアミン、ジエチルアミン、２−エチルヘキシルアミン、ジ（２−エチルヘキシル）アミン、ｎ−ブチルアミン、ジ−ｎ−ブチルアミン、アリルアミン、イソブチルアミン、ココアミン、ステアリルアミン、ラウリルアミン、メチルラウリルアミンおよびオレイルアミンが挙げられる。
【０１４４】
芳香族モノアミンは、芳香族環構造を有する炭素原子が、アミン窒素に直接結びつくモノアミンを含む。芳香族モノアミンの例は、アニリン、ジ（パラ−メチルフェニル）アミン、ナフチルアミンおよびＮ−（ｎ−ブチル）アニリンを含む。
【０１４５】
脂肪族炭化水素基、脂環式炭化水素基および複素環式炭化水素基で置換された芳香族モノアミンの例としては、それぞれ、パラ−ドデシルアニリン、シクロヘキシルナフチルアミンおよびチエニルアニリンが挙げられる。
【０１４６】
本発明によるモノアミンは、またヒドロキシアミンを含む。例えば、エタノールアミン、ジ−３−プロパノールアミン、４−ヒドロキシブチルアミン、ジエタノールアミンおよびＮ−メチル−２−ヒドロキシプロピルアミンが挙げられる。
【０１４７】
ポリアミンはまた、ポリアルケン基で置換されたアミンから選択されてもよい。ポリアミンは脂肪族、脂環式、複素環式、または芳香族であってもよい。例えば、アルキレンポリアミン、水酸基を有するポリアミン、アリールポリアミンおよび複素環式ポリアミンが挙げられる。エチレン性のポリアミンがコストと効率の理由のため好まれる。
【０１４８】
水酸基を有するポリアミンは、窒素原子上に、１つ以上のヒドロキシアルキル置換基を有しているヒドロキシアルキル化されたアルケンポリアミンを含み、１つ以上のアルケン酸化物と、アルケンポリアミンとの反応によって調製されてもよい。例えば、Ｎ−（２−ヒドロキシエチル）エチレンジアミン、Ｎ，Ｎ−ビス（２−ヒドロキシエチル）エチレンジアミン、１−（２−ヒドロキシエチル）ピペラジン、モノヒドロキシプロピルジエチレントリアミン、ジヒドロキシプロピルテトラエチレンペンタミンおよびＮ−（３−ヒドロキシブチル）−テトラメチレンジアミンが挙げられる。
【０１４９】
アリールポリアミンは、別のアミノ窒素がその構造中に存在する点を除き、上述する芳香族モノアミンの類似体である。例えば、Ｎ，Ｎ’−ジ−ｎ−ブチル−パラ−フェニレンジアミンおよびビス（パラ−アミノフェニル）メタンが挙げられる。
【０１５０】
モノアミンおよび複素環式のポリアミンは当業者に公知である。例えば、Ｎ−アミノプロピルモルフォリン、Ｎ−アミノエチルピペラジンおよびＮ，Ｎ’−ジアミノエチルピペラジンを挙げることができる。水酸基−複素環式のポリアミンも使用されてもよく、例えばＮ−（２−ヒドロキシエチル）シクロヘキシルアミン、３−ヒドロキシシクロペンチルアミン、パラヒドロキシ−アニリンおよびＮ−ヒドロキシエチルピペラジンが挙げられる。
【０１５１】
ポリアルケン基で置換されたアミンの例は次のものを含んでもよい：ポリプロピレンアミン、ポリブテンアミン、Ｎ，Ｎ−ジメチルポリイソブチレンアミン、Ｎ−ポリブテンモルフォリン、Ｎ−ポリブテンエチレンジアミン、Ｎ−ポリプロピレントリメチレンジアミン、Ｎ−ポリブテンジエチレントリアミン、Ｎ’，Ｎ’−ポリブテンテトラエチレンペンタミンおよびＮ，Ｎ−ジメチル−Ｎ’−ポリプロピレン−１，３−プロピレンジアミン。
【０１５２】
ポリアルケン基を有するアミンの数平均分子量（Ｍｎ）は、５００〜５０００（好ましくは５００〜３０００、例えば１０００〜１５００）であってもよい。
【０１５３】
上述するポリアルケン基を有するアミン（第一級または第二級アミンである）はすべて、任意の公知の工程によってアルキル化剤を使用して、第三級アミン官能基を形成するためにアルキル化されてもよい。
【０１５４】
本発明による第２の添加剤の第四級アンモニウム塩は、上述する第三級アミン官能基を含む窒素含有化合物と、四級化剤との間の反応によって直接得られる。
【０１５５】
特定の実施態様によれば、四級化剤は、ジアルキルスルフェート、カルボン酸エステル、ハロゲン化アルキル、ハロゲン化ベンジル、炭化水素炭酸エステルおよび炭化水素エポキシ化合物からなる群から選択され、任意で酸と混合して使用され、単独でまたは混合物として使用してもよい。
【０１５６】
燃料用途については、ハロゲン、イオウおよびリンを含んでいる化合物の量を減少させることが多くの場合望ましい。
【０１５７】
したがってそのような元素を含んでいる四級化剤が使用される場合、対イオンを交換するための後反応を行なうことが有利であるだろう。例えば、ハロゲン化アルキルとの反応によって形成された第四級アンモニウム塩は、その後、水酸化ナトリウムと反応させ、そして、ハロゲン化ナトリウム塩がろ過によって除去されてもよい。
【０１５８】
四級化剤としては、ハロゲン化物（塩化物、ヨウ化物または臭化物など）；水酸化物；スルホネート；ビスルファイト；アルキルスルフェート（硫酸ジメチルなど）；スルホン；ホスフェート；Ｃ１−Ｃ１２アルキルホスフェート；Ｃ１−Ｃ１２ジアルキルホスフェート；ボラート；Ｃ１−Ｃ１２アルキルボラート；ニトリト；ニトラート；カーボネート；ビカーボネート；アルカノエート；Ｃ１−Ｃ１２Ｏ，Ｏ−ジアルキルジチオホスフェートなどが挙げられ、これらは単独でまたは混合物で用いられてもよい。
【０１５９】
特定の実施態様によれば、四級化剤は、以下の化合物、例えば、ジアルキルスルフェート（硫酸ジメチルなど）から、Ｎ−酸化物から、スルホン（プロパンスルホンおよびブタンスルホンなど）から、ハロゲン化アルキル（例えば、塩化メチルと塩化エチル）、ハロゲン化アシルやハロゲン化アラルキル（例えば、臭化ベンジル、ヨウ化ベンジルまたは塩化ベンジル）から、および炭化水素炭酸エステル（またはアルキルカーボネート）から得られてもよい。ハロゲン化アシルが塩化ベンジルである場合、芳香族環は、１以上のアルキルまたはアルケニル基と任意に置換される。炭化水素炭酸エステルの炭化水素基（アルキル）は、１個の基につき１〜５０個、１〜２０個、１〜１０個または１〜５個の炭素原子を含んでいてもよい。
【０１６０】
特定の実施態様によれば、炭化水素炭酸エステルは２個の炭化水素基を含んでおり、これらは同一または異なってもよい。炭化水素炭酸エステルの例として、ジメチルカーボネートまたはジエチルカーボネートが挙げられてもよい。
【０１６１】
特定の実施態様によれば、四級化剤は、次式（ＩＩＩ）によって表わされる炭化水素エポキシ化合物から選択される：
【０１６２】
【化６】
0006453911.tif 000007
【０１６３】
式中、Ｒ４、Ｒ５、Ｒ６およびＲ７は同一または異なって、独立して水素原子またはＣ１−Ｃ５０炭化水素基を表わしてもよい。非制限的な例示として、スチレンオキシド、エチレンオキシド、プロピレンオキシド、ブチレンオキシド、スチルベンオキシドおよびＣ１−Ｃ５０エポキシ化合物が挙げられる。スチレンオキシドは特に好ましい。
【０１６４】
典型的には、この種の炭化水素エポキシ化合物は、酸（例えば酢酸）と組み合わせて四級化剤として使用される。
【０１６５】
ただし、上述する特定の実施態様である、アミドまたはエステル基、およびカルボン酸基の両方を含む、置換コハク酸アミドによって構成された窒素含有化合物（ａ）（開環型）では、炭化水素エポキシ化合物は、酸を添加しない四級化剤として単独で使用されてもよい。この仮説によって拘束されるわけではないが、分子中にカルボン酸基が存在することにより、第四級アンモニウム塩の生成が促進されるように思われる。
【０１６６】
そのような酸を添加しない特定の実施態様では、プロトン性溶媒は第四級アンモニウム塩の調製のために使用される。例えば、プロトン性溶媒（水、アルコール（多価アルコールを含む）など）は、単独でまたは混合物で使用されてもよい。好ましいプロトン性溶媒は、９を超える比誘電率を有している。アミドまたはエステルから調製された適切な第四級アンモニウム塩、およびコハク酸の誘導体は、ＷＯ２０１０／１３２２５９に記載されている。
【０１６７】
特定の実施態様によれば、四級化剤は、式（ＩＶ）の化合物を含む：
【０１６８】
【化７】
0006453911.tif 000008
【０１６９】
式中、Ｒ８は、任意に置換されてもよい、アルキル基、アルケニル基、アリール基およびアラルキル基であり、およびＲ９はＣ１−Ｃ２２アルキル基、Ｃ１−Ｃ２２アリール基またはＣ１−Ｃ２２アルキルアリール基である。
【０１７０】
式（ＩＶ）の化合物は、第四級アンモニウム塩を形成するために第三級アミンと反応できるカルボン酸エステルである。式（ＩＶ）の化合物は、例えば、ｐＫａ３．５以下のカルボン酸エステルから選択される。式（ＩＶ）の化合物は、好ましくは、置換された芳香族カルボン酸エステル、α−ヒドロキシカルボン酸エステル、およびポリカルボン酸エステルから選択される。
【０１７１】
特定の実施態様によれば、エステルは式（ＩＶ）の置換された芳香族カルボン酸のエステルであり、式中、Ｒ８は置換されたアリール基である。好ましくは、Ｒ８は６〜１０個の炭素原子を有する、置換されたアリール基（好ましくはフェニル基またはナフチル基、より好ましくはフェニル基）である。Ｒ８は、有利には、カルボアルコキシ、ニトロ、シアノ、ヒドロキシ、ＳＲ１０およびＮＲ１０Ｒ１１から選択された、１つ以上の基で置換される。Ｒ１０とＲ１１の基の各々は、水素原子またはアルキル基、アルケニル基、アリール基またはカルボアルコキシ基であってもよく、これらは任意に置換されてもよい。Ｒ１０とＲ１１の基の各々は、有利には、水素原子またはＣ１−Ｃ２２アルキル基（任意に置換されてもよい）、好ましくは水素原子またはＣ１−Ｃ１６アルキル基、より好ましくは水素原子またはＣ１−Ｃ１０アルキル基、さらに好ましくは水素原子またはＣ１−Ｃ４アルキル基を表わす。Ｒ１０は好ましくは水素原子であり、かつＲ１１は水素原子またはＣ１−Ｃ４アルキル基である。好ましくは、Ｒ１０とＲ１１は両方とも水素原子である。
【０１７２】
特定の実施態様によれば、Ｒ８は、水酸基、カルボアルコキシ、ニトロ、シアノおよびＮＨ２から選択された１つ以上の基で置換されたアリール基である。Ｒ８は多置換のアリール基（例えばトリヒドロキシフェニル）であってもよい。好ましくは、Ｒ８は一置換基のアリール基であり、好ましくは、オルト置換している。Ｒ８は、例えば、ＯＨ、ＮＨ２、ＮＯ２またはＣＯＯＭｅ基から選択された基で置換され、好ましくはＯＨまたはＮＨ２で置換される。Ｒ８は好ましくはヒドロキシ−アリール基であり、特に２−ヒドロキシフェニルである。
【０１７３】
特定の実施態様によれば、Ｒ９はアルキル基かアルキルアリール基である。Ｒ９はＣ１−Ｃ１６アルキル基（好ましくはＣ１−Ｃ１０アルキル基、有利にはＣ１−Ｃ８アルキル基）であってもよい。Ｒ９はＣ１−Ｃ１６アルキルアリール基（好ましくはＣ１−Ｃ１０アルキルアリール基、有利にはＣ１−Ｃ８アルキルアリール基）であってもよい。Ｒ９は、例えば、メチル、エチル、プロピル、ブチル、ペンチル、ベンジルまたはこれらの異性体から選択されてもよい。好ましくは、Ｒ９はベンジルまたはメチルであり、より好ましくはメチルである。
【０１７４】
式（ＩＶ）の特に好ましい化合物はサリチル酸メチルである。
【０１７５】
特定の実施態様によれば、式（ＩＶ）の化合物は、次式のα−ヒドロキシカルボン酸のエステルである：
【０１７６】
【化８】
0006453911.tif 000009
【０１７７】
式中、Ｒ１２およびＲ１３、同一または異なって、互いに独立して、水素原子、アルキル基、アルケニル基、アリール基またはアラルキル基から選択される。そのような化合物は、例えばＥＰ  １２５４８８９に記載されている。
【０１７８】
Ｒ８ＣＯＯがα−ヒドロキシカルボン酸の残基である式（ＩＶ）の化合物の例としては、２−ヒドロキシ−イソブチル酸のメチル、エチル、プロピル、ブチル、ペンチル、ヘキシル、フェニル、ベンジルまたはアリルエステル；２−ヒドロキシ−２−メチルブチル酸のメチル、エチル、プロピル、ブチル、ペンチル、ヘキシル、ベンジル、フェニルまたはアリルエステル；２−ヒドロキシ−２−エチルブチル酸のメチル、エチル、プロピル、ブチル、ペンチル、ヘキシル、ベンジル、フェニルまたはアリルエステル；乳酸のメチル、エチル、プロピル、ブチル、ペンチル、ヘキシル、ベンジル、フェニルまたはアリルエステル；およびグリコール酸のメチル、エチル、プロピル、ブチル、ペンチル、ヘキシル、アリル、ベンジルまたはフェニルエステルが挙げられる。上記のうち、好ましい化合物はメチル−２−ヒドロキシイソブチレートである。
【０１７９】
特定の実施態様によれば、式（ＩＶ）の化合物はポリカルボン酸のエステルであり、ポリカルボン酸は、ジカルボン酸および２つを越える酸官能基を有するカルボン酸で構成される。カルボキシル基は、好ましくはすべてエステル型である。好ましいエステルはＣ１−Ｃ４アルキルエステルである。
【０１８０】
式（ＩＶ）の化合物は、シュウ酸ジエステル、フタル酸ジエステル、マレイン酸ジエステル、マロン酸ジエステルまたはクエン酸ジエステルから選択されてもよい。好ましくは、式（ＩＶ）の化合物はシュウ酸ジメチルである。
【０１８１】
好ましい変形態様によれば、式（ＩＶ）の化合物は３．５未満のｐＫａを有するカルボン酸エステルである。化合物が１つを越える酸基を含む場合については、第１解離定数が参照されてもよい。
【０１８２】
式（ＩＶ）の化合物は、シュウ酸、フタル酸、サリチル酸、マレイン酸、マロン酸、クエン酸、ニトロ安息香酸、アミノ安息香酸および２，４，６−トリヒドロキシ安息香酸から選択された、１つ以上のカルボン酸エステルから選択されてもよい。式（ＩＶ）の好ましい化合物はシュウ酸ジメチル、２−メチルニトロベンゾエートおよびサリチル酸メチルである。
【０１８３】
特に好ましい実施態様によれば、本発明による第四級アンモニウム塩は、２−メチルヒドロキシベンゾエートまたはスチレンオキシドと、ポリイソブテニル無水コハク酸およびジメチル−アミノプロピルアミンの反応生成物との反応によって形成され、ここで、ポリイソブテニル無水コハク酸は、数平均分子量（Ｍｎ）が７００〜１０００であるポリイソブチレン基（ＰＩＢ）を有している。
【０１８４】
好ましい特定の実施態様によれば、添加剤組成物は、上述した第１の添加剤および第２の添加剤で構成され、前記第２の添加剤は、上述する窒素含有化合物（ａ）から得られた第四級アンモニウム塩を含む。
【０１８５】
［第３の添加剤］
第３の添加剤は、次式（Ｖ）のトリアゾール誘導体を含む：
【０１８６】
【化９】
0006453911.tif 000010
【０１８７】
式中：
・Ｒ１４は、水素原子、直鎖または分岐鎖のＣ１−Ｃ８（好ましくはＣ１−Ｃ４、さらに好ましくはＣ１−Ｃ２）脂肪族炭化水素基、およびカルボキシル基（−ＣＯ２Ｈ）からなる群から選択される。好ましくは、Ｒ１４は水素原子である。
・Ｒ１５とＲ１８は、同一または異なって、互いに独立して、水素原子、および直鎖または分岐鎖の、飽和又は不飽和の、Ｃ１−Ｃ３３（好ましくはＣ１−Ｃ２１）脂肪族炭化水素基からなる群から選択された基を示し、前記脂肪族炭化水素基は、任意で、１つ以上の酸素原子を、カルボニル基（−ＣＯ−）および／またはカルボキシル基（−ＣＯ２Ｈ）として含み、
前記Ｒ１５およびＲ１８は、任意で、Ｒ１５と結合している窒素原子を含む５〜８個の原子とともに環を形成し、この場合、Ｒ１５とＲ１８は同一で、直鎖または分岐鎖の、飽和又は不飽和の、Ｃ１−Ｃ３３（好ましくはＣ１−Ｃ２１）脂肪族炭化水素基を構成し、任意で、１つ以上の酸素原子を、カルボニル基（−ＣＯ−）および／またはカルボキシル基（−ＣＯ２Ｈ）として含んでもよい。
・Ｒ１６とＲ１７は同一または異なって、互いに独立して、水素原子、および２〜２００個の炭素原子（好ましくは１４〜２００個の炭素原子、より好ましくは５０〜１７０個の炭素原子、さらに好ましくは６０〜１２０個の炭素原子）を有する、直鎖または分岐鎖の、飽和又は不飽和の、環状または非環状の脂肪族炭化水素基から選択された基を表わす。
【０１８８】
なお、従来の法則表現（破線で表される結合および可変結合（labile bond））を適用して、水素原子の位置、およびトリアゾール環の二重結合の位置が可変であることが示され、前記式は、したがって、２つの位置が可能であることを示す。
【０１８９】
特定の実施態様によると、トリアゾール誘導体は式（Ｖ）において、Ｒ１６とＲ１７は同一または異なって、互いに独立しており、水素原子、および数平均分子量（Ｍｎ）２００〜３０００（好ましくは４００〜３０００、より好ましくは４００〜２５００、さらに好ましくは４００〜１５００または５００〜１５００）の脂肪族炭化水素基から選択された群を表わす。前記脂肪族炭化水素基は、好ましくは数平均分子量（Ｍｎ）２００〜３０００（好ましくは４００〜３０００、より好ましくは４００〜２５００、さらに好ましくは４００〜１５００または５００〜１５００）のポリイソブチレン基（ポリイソブテンとも呼ばれ、ＰＩＢと表される）である。
【０１９０】
Ｒ１６とＲ１７は、好ましくは、それぞれ、水素原子、および上に記載しているＰＩＢ基を表わしてもよいし、その逆であってもよい。
【０１９１】
別の特定の実施態様によれば、トリアゾール誘導体は次式（ＶＩ）によって表わされる：
【０１９２】
【化１０】
0006453911.tif 000011
【０１９３】
式中、Ｒ１４、Ｒ１６およびＲ１７は上に定義されている。
【０１９４】
別の特定の実施態様によれば、トリアゾール誘導体は次式（ＶＩＩ）によって表わされる：
【０１９５】
【化１１】
0006453911.tif 000012
【０１９６】
式中、Ｒ１４、Ｒ１６およびＲ１７は上に定義されている。
【０１９７】
別の特定の実施態様によれば、第３の添加剤は、上に定義される式（ＶＩ）および（ＶＩＩ）のトリアゾール誘導体の混合物である。トリアゾール誘導体は、閉環型（ＶＩ）および開環型（ＶＩＩ）の誘導体の混合物であってもよい。トリアゾール誘導体の前記混合物は、閉環型（ＶＩ）および開環型（ＶＩＩ）の質量比（ＶＩ）：（ＶＩＩ）は、１：１００〜１００：１（好ましくは５０：１０〜９０：１０、より好ましくは９１：９〜９９：１）でそれぞれを含んでもよい。開環型の式（ＶＩＩ）のトリアゾール誘導体を１０質量％未満で含む第３の添加剤が好ましい。
【０１９８】
式（ＶＩ）および／または（ＶＩＩ）のトリアゾール誘導体またはその混合物は、Ｒ１４は水素原子であり、かつＲ１６とＲ１７は、それぞれ、水素原子、および上に記載しているようなＰＩＢ基を表わすか、またはその逆（Ｒ１６＝ＰＩＢおよびＲ１７＝Ｈ）であることが好ましい。
【０１９９】
トリアゾール誘導体は任意の公知の工程によって得られてもよく、特に、式（ＶＩＩＩ）のアミノトリアゾールと、次式（ＩＸ）の二酸および／または次式（Ｘ）の無水コハク酸との反応によって得られてもよい。
【０２００】
【化１２】
0006453911.tif 000013
【０２０１】
式中、Ｒ１４、Ｒ１６およびＲ１７は上に定義されている。
【０２０２】
特定の実施態様によれば、第１、第２および第３添加剤の各々は、それぞれ単独の活性成分で構成されてもよく、すなわち、第１の添加剤として化合物Ａ、第２の添加剤として第四級アンモニウム塩、および第３の添加剤としてトリアゾール誘導体で構成されていてもよい。
【０２０３】
特定の実施態様によれば、添加剤の組成物は、（ｉ）第３の添加剤、（ｉｉ）窒素含有化合物（ａ）から得られた第四級アンモニウム塩、および（ｉｉｉ）上述するソルビタン部分エステル（好ましくはソルビタントリエステル）から選択された化合物Ａを含む。
【０２０４】
一変形態様によれば、添加剤の組成物は、（ｉ）第３の添加剤、（ｉｉ）窒素含有化合物（ａ）から得られた第四級アンモニウム塩、および（ｉｉｉ）上述した脂肪酸に由来したポリグリセリンのモノエステルおよび／またはジエステルから選択された化合物Ａを含む。
【０２０５】
別の特定の実施態様によれば、添加剤の組成物は、（ｉ）第３の添加剤、（ｉｉ）窒素含有化合物（ｂ）から得られた第四級アンモニウム塩、および（ｉｉｉ）上述するソルビタン部分エステル（好ましくはソルビタントリエステル）から選択された化合物Ａを含む。
【０２０６】
一変形態様によれば、添加剤の組成物は、（ｉ）第３の添加剤、（ｉｉ）窒素含有化合物（ｂ）から得られた第四級アンモニウム塩、および（ｉｉｉ）上述する脂肪酸に由来したポリグリセリンのモノエステルおよび／またはジエステルから選択された化合物Ａを含む。
【０２０７】
別の特定の実施態様によれば、添加剤の組成物は、（ｉ）第３の添加剤、（ｉｉ）窒素含有化合物（ｃ）から得られた第四級アンモニウム塩、および（ｉｉｉ）上述するソルビタン部分エステル（好ましくはソルビタントリエステル）から選択された化合物Ａを含む。
【０２０８】
一変形態様によれば、添加剤の組成物は、（ｉ）第３の添加剤、（ｉｉ）窒素含有化合物（ｃ）から得られた第四級アンモニウム塩、および（ｉｉｉ）上述する脂肪酸に由来したポリグリセリンのモノエステルおよび／またはジエステルから選択された化合物Ａを含む。
【０２０９】
上述する添加剤組成物は、さらに１つ以上の他の従来の添加剤を含んでいてもよい。例えば、酸化防止剤、燃料油助燃剤、腐食抑制剤、低温動作添加剤、染料、解乳化剤、金属不活性化剤、消泡剤、セタン価向上剤、潤滑性添加剤、共溶剤および相溶化剤が挙げられる。
【０２１０】
完全に網羅するわけではないが、他の機能的添加剤は次のものから選択されてもよい：
−  燃料油助燃剤；セタン価向上剤は、特に（ただし非制限的に）硝酸アルキル（好ましくは２−エチルヘキシルニトラート）、アリールペルオキシド（好ましくはベンジルペルオキシド）、および、アルキルペルオキシド（好ましくはジ−ｔｅｒｔ−ブチルペルオキシド）から選択されてもよく；
−  酸化防止剤、例えば脂肪族アミン、芳香族アミン、ヒンダードフェノール（ＢＨＴ、ＢＨＱなど）；
−  解乳化剤；
−  帯電防止剤または伝導性向上剤；
−  染料；
−  消泡剤、特に（ただし非制限的に）ポリシロキサン、アルコキシル化ポリシロキサン、および植物または動物油に由来した脂肪酸アミドなどから、選択され；そのような添加剤の例はＥＰ８６１１８２、ＥＰ６６３０００、ＥＰ７３６５９０に挙げられ；
−  腐食抑制剤、例えばカルボン酸のアンモニウム塩；
−  金属キレート化剤および／または金属イオン封鎖剤、例えば、トリアゾール（ジサリチリデンアルキレンジアミン）および、特にＮ，Ｎ’−ビス（サリチリデン）−１，３−プロパンジアミン；
−  低温動作添加剤、特に曇点向上剤、特に（ただし非制限的に）、長鎖オレフィン／（メタ）アクリル酸エステル／マレインイミドターポリマー、およびフマル酸／マレイン酸のエステルのポリマーからなる群から選択される。そのような添加剤の例は、ＥＰ７１５１３、ＥＰ１００２４８、ＦＲ２５２８０５１、ＦＲ２５２８０５１、ＦＲ２５２８４２３、ＥＰ１１２１９５、ＥＰ１７２７５８、ＥＰ２７１３８５、ＥＰ２９１３６７に挙げられ；抗沈殿剤および／またはパラフィン分散剤は、特に（ただし非制限的に）、ポリアミンによってアミド化された、（メタ）アクリル酸／（メタ）アクリル酸アルキルの共重合体、ポリアミンに由来するアルケニルスクシンイミド、フタルアミド酸および二重鎖脂肪族アミンの誘導体；アルキルフェノール／アルデヒド樹脂からなる群から選択され；そのような添加剤の例はＥＰ２６１９５９、ＥＰ５９３３３１、ＥＰ６７４６８９、ＥＰ３２７４２３、ＥＰ５１２８８９、ＥＰ８３２１７２；ＵＳ２００５／０２２３６３１；ＵＳ５９９８５３０；ＷＯ９３／１４１７８に挙げられ；低温操作性のための多機能添加剤は、特にＥＰ５７３４９０に記載しているようなオレフィンおよびアルケニルニトラートに基づくポリマーからなる群から選択され；
−  低温性能および濾過性（ＣＦＩ）を改善する他の添加剤、例えばＥＶＡおよび／またはＥＶＰ共重合体；
−  酸度中和剤、例えば環状アルキルアミン；
−  マーカー、特に規制によって課されたマーカー、例えば各タイプの燃料に特有の染料；
−  芳香剤または臭気隠蔽剤、例えばＥＰ１５９１５１４に記載されたもの；
−  上に記載していたもの以外に、潤滑性添加剤、耐摩耗剤および／または摩擦調整剤、特に（ただし非制限的に）、単環および多環カルボン酸の誘導体から選択されるもの。
【０２１１】
本発明による添加剤組成物は、任意の公知の工程によって燃料に組み入れられてもよい。例えば、前記組成物および燃料と相溶である溶剤を含む添加剤組成物は、濃縮物の形態で組込まれてもよく、前記組成物は溶剤に分散しているか溶解されている。この種の濃縮物は、一般に溶剤を１〜９５質量％（好ましくは２０〜９５質量％）含んでいる。
【０２１２】
添加剤組成物は、典型的には添加剤を５〜９９質量％（好ましくは５〜８０質量％）含んでいる。
【０２１３】
溶剤は、一般に炭化水素溶剤を含んでいる有機溶媒である。溶剤の例としては、ナフサ、灯油、暖房用灯油のような石油留分；脂肪族および／または芳香族炭化水素、例えば、ヘキサン、ペンタン、デカン、ペンタデカン、トルエン、キシレンおよび／またはエチルベンゼンおよびアルコキシアルカノール（２−ブトキシエタノールなど）および／または炭化水素混合物、および任意に共溶剤または相溶化剤（２−エチルヘキサノール、デカノール、イソデカノールおよび／またはイソトリデカノールなど）が挙げられる。
【０２１４】
上に記載しているような添加剤組成物は燃料添加物として使用されてもよい。特に、本発明による添加剤の組成物は、５００質量ｐｐｍ以下のイオウ含有量を有するディーゼル燃料（好ましくはバイオディーゼル）で使用するのに特にふさわしい。
【０２１５】
ディーゼル燃料は圧縮エンジン用液体燃料である。ディーゼル燃料とは、１００〜５００℃間に沸点を有する中間留分を含む燃料を意味し；それらのワックス外観温度（ＷＡＴ：wax appearance temperature）は大抵の場合−２０℃以上であり、一般に、−１５℃〜＋１０℃の間に含まれる。これらの軽油は基油の混合物であり、例えば石油または粗炭化水素の直接蒸留によって得られた蒸留物、真空蒸留物、水素化処理蒸留物、真空蒸留物の接触分解および／または水素化分解から生じる蒸留物、ＡＲＤＳタイプ（常圧残油の脱硫）の転換、および／またはビスブレーキングに起因する蒸留物から選択されてもよい。
【０２１６】
本発明によるディーゼル燃料は、さらにガソリンのような軽留分（例えば、蒸留や、接触分解または熱分解、アルキル化、異性化反応、脱硫、水蒸気分解からから生じる留分）を含んでいてもよい。
【０２１７】
さらに、ディーゼル燃料は、新規の蒸留物源を含んでいてもよく、例えば、下記に特に述べられる：
−  クラッキングおよびビスブレーキングから生じ、１８個を越える炭素原子を含む重質パラフィンを高濃度で有する最重質留分、
−  ガス転換（フィッシャー‐トロプシュ法に起因など）に起因する合成蒸留物、
−  植物および／または動物起源のバイオマスを処理することにより生じる合成蒸留物、特にＮｅｘＢＴＬ、なお単独でまたは混合物で使用される。
−  コーカーディーゼル（coker diesel）。
【０２１８】
本発明によるディーゼル燃料は、１つ以上の生物燃料（biofuel）を含むか、またはそれのみで構成されてもよい。生物燃料とは、化石資源から生じる燃料とは対照的に、有機物（バイオマス）から得られた燃料を意味する。公知である生物燃料の例としては、バイオ軽油（バイオディーゼルとも呼ばれる）およびアルコールが挙げられる。
【０２１９】
アルコール（例えばメタノール、エタノール、ブタノール、エーテル（ＭＴＢＥ、ＥＴＢＥなど）など）は、一般にガソリン燃料との混合物の中で使用され、しかし時にディーゼルタイプのより重質な燃料との混合物の中で使用される。
【０２２０】
バイオディーゼルまたはバイオ軽油はディーゼルエンジン用の標準燃料の代替物である。この生物燃料は、化学プロセス（いわゆるエステル交換反応）によって変換された植物または動物油（使用済食用油を含む）から得られ、アルコールとこの油を反応させて脂肪酸エステルを得る。メタノールとエタノールにより、脂肪酸メチルエステル（ＦＡＭＥ）および脂肪酸エチルエステル（ＦＡＥＥ）が、それぞれ得られる。植物、動物油および／またはそれらのエステルの例として、植物油、または脂肪酸メチルまたはエチルエステル（ＶＯＭＥ、ＶＯＥＥ、ＦＡＭＥ、ＦＡＥＥ）が挙げられ；植物および／または動物油としては、水素化処理および／または水素化分解および／または水素化脱酸素（ＨＤＯ）された植物および／または動物油が挙げられる。
【０２２１】
化石およびバイオディーゼル起源の中間留分の混合物は、文字「Ｂ」によって一般に表示され、次いでディーゼル燃料に含まれるバイオディーゼルの百分率を示す数が表示される。つまり、Ｂ９９は、バイオディーゼル９９％、および化石起源の中間留分の１％を含んでおり；Ｂ２０は、バイオディーゼル２０％、および化石起源などの中間留分の８０％を含んでいる。
【０２２２】
したがって、含酸素化合物を含んでいないタイプＢ０のディーゼル燃料と、植物油または脂肪酸エステル［通常メチルエステル（ＶＯＭＥまたはＦＡＭＥ）］をｘ％（ｖ／ｖ）を含んでいるタイプＢｘのバイオディーゼル燃料とは区別される。バイオディーゼルがエンジンの中で単独で使用される場合、燃料は用語Ｂ１００によって表示される。
【０２２３】
本出願の以下では、用語「ディーゼル燃料」は上述する燃料をすべて包含する、広い意味で使用される。
【０２２４】
ディーゼル燃料は、好ましくは５００質量ｐｐｍ以下（有利には１００質量ｐｐｍ以下）のイオウ含有量を有しており、イオウ含有量は５０質量ｐｐｍ以下、または１０質量ｐｐｍ以下にさえ低下してもよい（これは乗り物のための現在のディーゼル燃料の場合であり、現在有効である、欧州規格ＥＮ  ５９０によるイオウ含有量は、１０質量ｐｐｍ以下でなければならない）。
【０２２５】
ディーゼル燃料は、有利にはバイオディーゼルを３０体積％以内（好ましくは２０体積％以内、より好ましくは１０体積％以内）で含む。
【０２２６】
添加剤組成物は、好ましくは燃料に組み入れられ、前記組成物に含まれる各添加剤の質量濃度を、燃料中、５〜５０００ｐｐｍ、好ましくは２０〜５００ｐｐｍ、より好ましくは３０〜２５０ｐｐｍとすることができる。質量濃度は、燃料の全質量に対して計算される。
【０２２７】
特に、第１の添加剤および第２添加剤、および任意の第３の添加剤のそれぞれの質量濃度は５〜５０００ｐｐｍ（好ましくは２０〜５００ｐｐｍ、より好ましくは３０〜２５０ｐｐｍ）の範囲である。
【０２２８】
当業者は、溶剤中の添加剤の任意の稀釈度に応じて、本発明の添加剤組成物の濃度を容易に応用し、最終燃料中の各機能的添加剤について希望の濃度を得ることができる。
【０２２９】
燃料は、本発明による添加剤組成物を、好ましくは少なくとも５質量ｐｐｍ、好ましくは少なくとも１００質量ｐｐｍ含む。添加剤（添加剤組成物を含む）は、１０質量％、（好ましくは１質量％、より好ましくは０．５質量％）まで燃料に混入することが可能であるだろう。
【０２３０】
第２の添加剤への第１の添加剤の質量比（第１：第２）は、１００：１〜１：１、好ましくは１０：１〜１：１、より好ましくは５：１〜１：１である。
【０２３１】
第３の添加剤への第２の添加剤の質量比（第２：第３）は、１：１００〜１００：１、好ましくは１：１０〜１０：１、より好ましくは１：２〜２：１である。
【０２３２】
上述するディーゼル燃料は、前記エンジン性能を改善するため、特に前記エンジン中（好ましくは直接噴射機関中、より好ましくは、エンジンが高圧射出方式（「コモンレール」）を装備している場合）のデポジットを制限するため、ディーゼルエンジンの中で使用されてもよい。
【０２３３】
本発明による添加剤組成物を含む燃料の使用により、ディーゼルエンジンの燃費を減少させることが可能になり（「燃料エコ」効果）、特に、前記エンジンの動力の損失を最小限にすることを可能にする。
【０２３４】
本発明は、さらに、前記エンジンの射出方式の内部部品中のセッケンおよび／またはラッカーのデポジットを制限することによって、ディーゼルエンジンの清浄度を維持する方法（「キープクリーン」効果）に関し、および／または内部部品中のセッケンおよび／またはラッカーのデポジットを（少なくとも部分的に）除去することによって、前記エンジンの射出方式の汚染された内部部品を清浄化する方法（治癒的な「クリーンアップ」効果）に関する。
【０２３５】
前記方法は、ディーゼルエンジン中（特に直接噴射機関、好ましくは、高圧射出方式「コモンレール」の噴射機関）における、本発明による添加剤の組成物の燃焼を含む。
【実施例】
【０２３６】
（試薬）
−  Ｎ，Ｎ−ビス（２−エチルヘキシル）−１，２，４−トリアゾール−１−メタンアミン（ＣＡＳ  ９１２７３−０４−０）
−  商標「Glissopal*SA（登録商標）」でＢＡＳＦ社によって上市された数平均分子量Ｍｎ１１００（ＧＰＣ）のポリイソブテニル無水コハク酸（ＰＩＢＳＡ）
−  ３−アミノ−１，２，４−トリアゾール（ＣＡＳ  ６１−８２−５）。
【０２３７】
【表１】
0006453911.tif 000014
【０２３８】
（実施例１：ジグリセリン部分エステル添加剤ＤＧＭＯ１及びＤＧＭＯ２の合成）
ＭｅＯＮａタイプの触媒の存在下で、ジグリセリン９０ｇと、オレイン酸ひまわり油（６時間３００ｍｂａｒ（０．０３ＭＰａ）で減圧したオレイン酸濃縮物）５００ｇとを、１７０℃で反応させる。
【０２３９】
前記手順は、製品の第２のサンプルを調製するため、以下に再度示される。
【０２４０】
【表２】
0006453911.tif 000015
【０２４１】
（実施例２：３−ポリイソブテンスクシンイミド−１，２，４−トリアゾールの合成）
５００ｍＬフラスコに、活性成分を８４％（７６．６４ｍｍｏｌ）で有するポリイソブテニル無水コハク酸（ＰＩＢＳＡ）１００ｇを充填し、そして芳香族溶剤（商標「Ｓｏｌｖｅｓｓｏ  １５０ＮＤ」）２６．３ｇが加えられる。ディーン・スターク装置を装備して、窒素下に置かれると、反応媒体は激しい撹拌下で１４０℃に加熱され、その後３−アミノ−１，２，４−トリアゾール５．１５ｇ（０．８ｅｑ．／６１．３１  ｍｍｏｌ）が導入される。その後、４時間還流下で加熱し、ディーン・スターク装置中の水１．１０ｍＬを除去し、周囲温度にて冷却される。そして、活性成分を５０％含む生成物を得るために、追加の溶剤（Ｓｏｌｖｅｓｓｏ  １５０ＮＤ）が加えられる。活性成分（測定値５０．８％）５０％を有する透明な褐色液体２０２．４ｇが得られる。
【０２４２】
得られた生成物はトリアゾール誘導体の混合物であり、開環型（式ＩＩ：ここでＲ１＝Ｒ３＝ＨおよびＲ４＝ＰＩＢ）および閉環型（式ＩＩＩ：ここでＲ１＝Ｒ３＝ＨおよびＲ４＝ＰＩＢ、またはＲ１＝Ｒ３＝ＰＩＢおよびＲ４＝Ｈ）が含まれる。
【０２４３】
ＧＰＣ分析によって決定された（開環型／閉環型）による百分率（質量比率）は、９５：５である。
【０２４４】
（実施例３：第四級アンモニウム塩ＱＡＳの合成）
・窒素含有化合物（ａ）の調製
ポリイソブテニル無水コハク酸（ＰＩＢＳＡ）５００ｇ（０．３８ｍｏｌ）を７０℃に加熱し、ディーン・スターク装置を備えた反応器に導入後、窒素下に置かれる。ヘプタン７６．９ｇ、そして次にジメチルアミノプロピルアミン（ＤＭＡＰ）５２．３ｇ（０．５１ｍｏｌ／１．３４ｅｑ．）を反応器に加え、導入中反応温度を７０℃に維持する。反応媒体を１時間７０℃に維持し、その後反応媒体は周囲温度へと冷却される。中間物が回収される。
【０２４５】
・窒素含有化合物（ａ）の第三級アミンの第四級化
中間物４７０ｇを、コンデンサを備えた新しい２Ｌ反応器にいれる。その後２−エチルヘキサノール１８０．６ｇを導入し、反応媒体を撹拌しながら窒素下で５５℃へと加熱する。その後、反応温度を５５℃に維持しながら、プロピレンオキシド４０．２ｇ（０．６９ｍｏｌ）を、４時間かけてシリンジポンプによって混合物に徐々に導入する。この混合物を１６時間この温度で維持する。媒体が冷えた後、第四級アンモニウム塩ＱＡＳの誘導体を主として含む反応生成物が回収される。
【０２４６】
前記反応生成物ＱＡＳのサンプルが、赤外線吸収分光法（ＩＲ）、質量分析法およびＮＭＲによって定性的に分析された。この定性分析では、稀釈の程度を考慮に入れて参照スペクトルと比較することにより、反応生成物の中の主成分を決定することができた。
【０２４７】
定量分析も内部標準を使用して、１３Ｃ  ＮＭＲによって蒸発残留物に対して行なわれた。
【０２４８】
以下の表３に、上述する技術を使用して測定された生成物ＱＡＳの組成を示す。
【０２４９】
【表３】
0006453911.tif 000016
【０２５０】
（テストプロトコル）
・プロトコル１：ＩＤＩＤタイプのデポジットに関する「ラッカー発生」耐性の評価
本発明者らはまた、ディーゼル燃料（特に高級グレード燃料）のラッカー発生感受性を評価するために、信頼性のある安定した新方式を開発し、本発明による添加剤の性能調査をおこなう。この方法は、上に引用された刊行物に記載していた方法とは対照的に、実験室内の方法でなく、エンジンテストに基づく。そのため、技術的に興味深く、ラッカー発生に対する添加剤または添加剤組成物の有効性を定量的に測定することができる。本発明者らによって開発されたラッカー発生を測定する方法は、以下に詳述される：
−  使用されるエンジンは、１５００ｃｍ３の行程容積および６５ｋＷの動力を有する、Ｒｅｎａｕｌｔ  Ｋ９Ｋ７０２、４気筒１６バルブ、高圧噴射のコモンレールディーゼルエンジンであり：噴射圧の調整は、ポンプの高圧部品で行われる。
【０２５１】
−  動力（power point）は４０００ｒｐｍで４０時間使用され；チャンバのインジェクタの位置を公称位置に比べて１ｍｍ低くする。このような位置により、一方では燃焼からの熱エネルギーの放出が促進され、また、他方ではインジェクタを燃焼室により近くする。
【０２５２】
−  注入された燃料の流量はテストの開始時に排気温度７５０℃となるように調節される。
【０２５３】
−  インジェクタノズルに作用する熱応力を増加させるため、噴射進展（injectionadvance）は、公称設定（クランク軸＋１２．５°〜＋１４°まで増加）に対してクランク軸１．５°分増加させた。
【０２５４】
−  最後に、燃料に対する応力を増加させるために、圧入圧力は、公称圧力（１４０ＭＰａから１５０ＭＰａまでの増加）に対して１０ＭＰａ分増加させた。また、温度は高圧ポンプ入り口で６５℃にセットされる。
【０２５５】
インジェクタのために使用される技術は、燃料の劣化を促進する高い燃料リターンを要求する。というのは、燃料が、燃焼室に注入される前に、ポンプおよび高圧チャンバ中のいくつかのサイクルに用いられる可能性があるためである。
【０２５６】
クリーンアップ効果（つまり、タイプ１および／またはタイプ２のデポジットの清浄）をテストする方法の一変形態様も開発された。その方法は、前記記載の方法に基づくが、４０時間および３０時間の二部に分離されている：
・最初の４０時間は、ＰＩＢＳＩタイプの清浄剤３３０質量ｐｐｍ、および脂肪酸混合物２００質量ｐｐｍを含む高級グレードＢ７ディーゼル燃料を用いて実行される。なお、脂肪酸混合物は、オレイン酸を主とし、酸価１８０ｍｇＫＯＨ／ｇを有している。この混合物は、「ラッカー」タイプのデポジットを生成する傾向があることが公知である。４０時間後に、４つのインジェクタのうちの２つについて、存在するデポジットの量を確認するために分解し評価し、次いで、新しい２つのインジェクタと取り替える。
・テスト後半の３０時間は、評価される製品を用いて実行される。テストの終了時（全体で７０時間）、インジェクタを分解して評価する。
【０２５７】
テストの終了時、２つのインジェクタの３つのバッチが利用される：
・バッチ１：
２個のインジェクタ（上述の「ラッカー」を発生する傾向がある点で公知である高級グレード燃料についての４０時間後）。
・バッチ２：
２個のインジェクタ（上述の「ラッカー」を発生する傾向がある点で公知である高級グレード燃料についての４０時間後＋評価される製品についての３０時間後）。
・バッチ３：
２個のインジェクタ（評価される製品についての３０時間後）。
【０２５８】
（結果）
結果が有効であることを保証するために、テスト中、様々なパラメータがモニタされる：操作点はテスト全体にわたって同一であるため、動力、トルクおよび燃費は、（ｉ）インジェクタの汚染があるか、（ｉｉ）操作性がデポジットの発生により低下したかどうかを示す。
【０２５９】
様々な液体（冷却液、燃料、油）の特性温度により、テストの有効性をモニタすることが可能になる。燃料はポンプ入り口が６５℃となるようセットされ、冷却液はエンジン出口が９０℃となるようセットされる。
【０２６０】
煙値（smoke values）により、テスト開始時に燃焼タイミングをモニタすることが可能となり（３ＦＳＮのターゲット値）また、煙値によって、あるテストから別のテストまで適切に反復可能であることが保証される。
【０２６１】
針に形成されたデポジットを検査し評価するために、インジェクタはテストの終了時分解される。針の評価のための採用された手順は以下のとおりである：針の表面は１００ポイントに分割される。セッケン（タイプ１）の、およびラッカー（タイプ２）のデポジットが、各ポイントについて評価される。シリンダゾーン（円錐部分の直後）は、針の総合評点のうち６８％を表わす。また、円錐部分が、針の総合評点の３２％を表わす。評価を促進するために、これらの２つのゾーンは各々４つに分割される。図４では、示された百分率は、針の表面の４分の１に相当する：全面的な針表面はしたがって１７ｘ４＝６８％である。
【０２６２】
セッケン（タイプ１のデポジット）については、スコアが、−１（非常に良好なセッケンの場合）〜−１０（非常に粘性が高く、濃い色付のセッケンの場合）の間で変化する。セッケンの影響の値は、評価された針のポイントの集合で得られたスコアの相加平均の計算により決定される。
【０２６３】
ラッカー（タイプ２のデポジット）については、スコアの目盛りが、１（ラッカーの深刻なデポジットと等価な黒いラッカーの場合）〜１０（新しい針と同等の非常に透明なラッカーの場合）の間で変化する。ラッカーの影響の値は、スコアの値で分類された、スコア（１〜１０）に属しているポイントの数の合計により計算される。その後、１０のうち、総合評点（Ｎ）を、ラッカーとセッケンの影響を加味して決定される。
【０２６４】
したがって、エンジン清浄度の維持特性（「キープクリーン」効果）については、製品性能の閾値が、この評価手法に対して判断された：
Ｎ＜７．５の場合、不十分；
Ｎ≧７．５の場合、十分。
汚染されたエンジンの射出方式の内部部品を清浄化する特性（治癒する「クリーンアップ」効果）については、製品性能の閾値が、この評価手法に対して判断された：
Δ（Ｎbatch 2−Ｎbatch 1）＜１．５５の場合、不十分；
Δ（Ｎbatch 2−ＮＧbatch1）≧１．５５の場合、十分。
【０２６５】
・プロトコル２：高圧射出方式（ＤＷ１０＋Ｚｎ）を有するディーゼルエンジンの動力の損失の測定
燃料は、Coordinating European Council（ＣＥＣ）によって開発公表された方法ＣＥＣ  Ｆ−９８−８  ＤＷ１０ＢＴＥＤ４による規格Ｅｕｒｏ５に順じたインジェクタを使用して、Ｐｅｕｇｅｏｔ  ＤＷ１０エンジンでテストされる。
【０２６６】
現代のディーゼルエンジンの実際の条件を再現するために、少量の亜鉛ネオデカノエート（１ｐｐｍ）をテスト燃料に加える。
【０２６７】
このテストは燃料の識別のために開発されている。噴射ノズルのコークス化または目詰まりに関して（ノズルのコークス化または汚染化）、射出方式が外部デポジットを生ずるかまたは回避するかに基づいて、識別される。
【０２６８】
このテストにより、コークス化するタイプのデポジットによってもたらされた動力の損失（動力の損失の百分率での比較）に基づいて、燃料の差別化が可能になる。特に、このテストにより、コークス化するタイプの析出をほとんど生じない燃料（動力の損失＜２％）と、２％以上の動力の損失をもたらすコークス化（エンジンメーカーには承諾しかねるコークス化とみなされる）を発生させる燃料とを区別することを可能にする。
【０２６９】
プロトコルＣＥＣ  Ｆ−９８−８  ＤＷ  １０によるテストは、以下に要約される：
エンジンEuro 4 Peugeot DW10BTED4 2.0L, HDi,ターボディーゼル、可変ターボ圧縮機構および排気ガス再循環装置（ＥＧＲ）用システムを有する直列４気筒
排気量：１９９８ｃｍ３
燃焼室：４バルブ、直接噴射
動力：速度４０００ｒｐｍで１００ｋＷ
トルク：速度２０００ｒｐｍで３２０Ｎ．ｍ
射出方式：圧電気システム（ＥＵＲＯ  ＩＶ）によって制御される６穴インジェクタを有するコモンレール
最大圧力：１６００バール
排出制御：排気の後処理用の系を考慮にいれたEuro 4による制限に従う。
【０２７０】
テストは以下の工程に分割される：
・０−  インジェクタのすり合せ運転工程：
フランスで上市されている代表的なディーゼル燃料によって構成された、非汚染標準燃料（Ｂ７＝フランスで製造され、ＦＡＭＥ（脂肪酸メチルエステル）７％を含み、ＥＮ  ５９０に従うディーゼル燃料）を使用して１時間１６サイクル。その後、評価される燃料のテストが、全体で４４時間かけて行われた。ただし、調製および冷却の期間は含まない。４４時間は、エンジン操作の３２時間と、エンジン停止についての１２時間に分割される。
【０２７１】
１−  エンジンウォームアップ工程：
下記条件の下、１サイクル１２分で行われた：
【０２７２】
【表４】
0006453911.tif 000017
【０２７３】
その後、エンジン出力を７分間で最大負荷４０００ｒｐｍまで増加させる。次に、平均動力が３０秒間測定される。
【０２７４】
２−  操作工程：１時間８サイクルは、以下のとおりである：
【０２７５】
【表５】
0006453911.tif 000018
【０２７６】
サイクルの終わりに、エンジン回転速度は６０秒で１０００ｒｐｍ／１０Ｎｍに調節され、３００秒間この速度で維持される。
【０２７７】
３−  冷却工程：
停止中６０秒冷却し、次いで停止中１０秒冷却。
【０２７８】
４−  離解工程：エンジンを４時間止める。
【０２７９】
サイクル１〜４全体を、４回繰り返す。動力の損失は、各操作サイクル（つまり全体で３２）について測定される。
【０２８０】
（テスト）
プロトコル１によるテスト１：「ラッカー発生」に対する耐性
上述するように、エンジン清浄度の維持特性を評価する工程（予防的「キープクリーン」効果）および汚染されたエンジンの射出方式の内部部品を清浄化する工程（治癒的「クリーンアップ」効果）に従って（プロトコル１）、フランスでの代表的なディーゼル燃料［Ｂ７＝フランスで製造され、ＦＡＭＥ（脂肪酸メチルエステル）７％を含みＥＮ  ５９０に従うディーゼル燃料］を母体として用いた、いくつかの添加剤組成物について性能を評価する。
【０２８１】
テストされた各燃料の詳細および得られた結果を、表４に示す。テストＧ、Ｇ’およびＧ”は、同じテストに対応し、Ｇは、インジェクタ１のバッチの結果に対応し、Ｇ’は、インジェクタ２のバッチの結果に対応し、Ｇ”は、インジェクタ３のバッチの結果に対応する。テストＧは汚染過程（「汚れ付着」）に相当し、テストＧ’は清浄過程（「クリーンアップ」）に相当し、およびテストＧ”は清浄の維持過程（「（キープクリーン）」）に相当する。
【０２８２】
表４に示される量は質量（ｍｇ／ｋｇ）による量である。
【０２８３】
【表６】
0006453911.tif 000019
【０２８４】
これらのテストでは、本発明による添加剤組成物の治癒する有効性（クリーンアップ効果）、つまり針の上で既に形成されたラッカーまたはセッケンタイプのデポジットを除去する能力を実証する。これは、インジェクタＧ’セットのスコアがインジェクタＧのバッチより高いこと（針の有意な洗浄が開始された）から分かる。さらにインジェクタＧ”セットのスコアが大幅に増加しているため、それらの予防の有効性（キープクリーン効果）も確認する。
【０２８５】
燃料１、２または３が使用される場合、治療効果（クリーンアップ効果）は観察されない。したがって、燃料Ｂ７の中で、それぞれ単独で使用される第１、第２および第３添加剤は、セッケンおよび／またはラッカータイプのデポジットに対して、前記燃料に、治療効果を与えないことが推定される。
【０２８６】
しかしながら、第１、第２および第３添加剤の組み合せを含む燃料４は、予防的な（キープクリーン）効果と、治癒的な（クリーンアップ）効果の両方を有しており、これは注目される。さらに、比較として、本発明には入らないトリアゾール誘導体を含む燃料５が、有意な治癒効果（クリーンアップ）を有していないことが、理解されうる。
【０２８７】
（プロトコル２によるテスト２：コークス化に対する耐性）
上述するプロトコル２（ＤＷ１０＋Ｚｎ）に従って、フランスでの代表的なディーゼル燃料［Ｂ７＝フランスで製造され、ＦＡＭＥ（脂肪酸メチルエステル）７％を含みＥＮ  ５に従うディーゼル燃料］を母体として導入された複数の添加剤組成物について、動力の損失が評価される。テストされた各燃料の詳細および得られた結果を、表５に示す。
【０２８８】
表５に示される量は質量（ｍｇ／ｋｇ）による量である。
【０２８９】
【表７】
0006453911.tif 000020
【０２９０】
本発明による添加剤組成物を含んでいる燃料は、第四級アンモニウム塩を単独で含む燃料（燃料７）または第四級アンモニウム塩、および、本発明とは異なるトリアゾール誘導体の組み合せ（燃料８および９）と比較して、コークス化するタイプのデポジットを生成しないという点について、特に著しい効果を有することが理解される。
【０２９１】
本発明による化合物Ａと、第四級アンモニウム塩および任意に上述のトリアゾール誘導体とを組み合わせた特定の選択（燃料１０および１１）により、ラッカータイプのデポジット（ＩＤＩＤデポジット）の制御、および／またはコークス化するタイプのデポジットの抑制が、燃料において可能となる。
【０２９２】
本発明による添加剤組成物は、性能を改善した燃料を得ることが可能になるという点で優れており、特に低イオウ含有ディーゼル燃料（任意にバイオディーゼルを含んでいてもよい）を得ることが可能になるという点で優れている。上述する添加剤の特定の組み合せは、特に、クリーンアップ効果およびキープクリーン効果を組み合わせること、動力の損失を最小限にすること、および燃料の耐摩耗性を改善することにより、ディーゼルエンジンの燃費を減少させることを可能にする。
なお、本発明は、実施の態様として以下の内容を含む。
〔態様１〕
少なくとも第１の添加剤および第２の添加剤を含む燃料用添加剤組成物であって、
−  前記第１の添加剤は、化合物Ａを少なくとも５０質量％で含み、この化合物Ａは、ポリオールと、飽和又は不飽和の、直鎖または分岐鎖の、環状または非環状のＣ４−Ｃ３６モノカルボキシル脂肪族炭化水素との部分エステルから選択され、前記部分エステルは、単独でまたは混合物で使用され、および
−  前記第２の添加剤は、四級化剤と第三級アミン官能基を含む窒素含有化合物との反応によって得られた第四級アンモニウム塩を含み、前記窒素含有化合物は、以下の化合物：
ａ）  炭化水素基で置換されたアシル化剤と、
少なくとも１つの第三級アミン基、および第一級アミン、第二級アミンおよびアルコールから選択された基を含む化合物との反応物、
ｂ）  第三級アミン基を含むマンニッヒ反応物、
および
ｃ）  少なくとも１つの第三級アミン基を有するポリアルケン基で置換されたアミン類、
から選択される、燃料用添加剤組成物。
〔態様２〕
態様１の組成物において、第２の添加剤に対する第１の添加剤の質量比（第１：第２）が、１００：１〜１：１（好ましくは１０：１〜１：１、さらに好ましくは５：１〜１：１）である、組成物。
〔態様３〕
態様１または２の組成物において、前記四級化剤は、硫酸ジアルキル、カルボン酸エステル、ハロゲン化アルキル、ハロゲン化ベンジル、炭化水素炭酸エステルおよび炭化水素エポキシ化合物によって構成された群から選択され、任意に、酸との混合物であってもよく、単独でまたは混合物である、組成物。
〔態様４〕
態様１〜３のいずれか一態様に記載の組成物において、前記窒素含有化合物は、炭化水素基で置換されたアシル化剤と、次式（Ｉ）または（ＩＩ）のアミンとの反応物を含む、組成物。
【化１３】
0006453911.tif 000021
（式中：
Ｒ１とＲ２は同一または異なって、互いに独立して、１〜２２個の炭素原子を有するアルキル基を表わし；
Ｘは１〜２０個の炭素原子を有するアルキレン基であり；
ｍは１〜５の整数であり；
ｎは０〜２０の整数であり；および
Ｒ３は、水素原子または１〜２２個の炭素原子を有するアルキル基である）
〔態様５〕
態様１〜４のいずれか一態様に記載の組成物において、前記化合物Ａは、エステル単位ｘ、水酸基単位ｙ、およびエーテル単位ｚを含み、ｘ、ｙ、およびｚは整数であり、ｘは１〜１０で変化し、ｙは１〜１０で変化し、ｚは０〜６で変化する、組成物。
〔態様６〕
態様１〜５のいずれか一態様に記載の組成物において、前記化合物Ａ中のエステル単位、水酸基単位およびエーテル単位の分布は、ｘは１〜４で変化し、ｙは１〜７で変化し、ｚは１〜３で変化する、組成物。
〔態様７〕
態様１〜６のいずれか一態様に記載の組成物において、化合物Ａは、以下の化合物のエステル化によって得られる組成物：
−  任意に１つ以上のエチレンの結合を含む、１種以上のＣ４−Ｃ３６脂肪酸；および
−  ５〜６個の原子の複素環（好ましくは、４〜５個の炭素原子および１個の酸素原子を有し、水酸基で置換された複素環）を任意に含む、直鎖または分岐鎖の、環状または非環状のポリオール。
〔態様８〕
態様７に記載の組成物において、前記脂肪酸は、ステアリン酸、イソステアリン酸、リノレン酸、オレイン酸、リノール酸、ベヘン酸、アラキドン酸、リシノール酸、パルミチン酸、ミリスチン酸、ラウリン酸およびカプリン酸によって構成された群から選択され、これらは単独でまたは混合物で使用される、組成物。
〔態様９〕
態様７または８に記載の組成物において、前記ポリオールは、（ｉ）３個を越える水酸基を含むポリオール、および（ｉｉ）５〜６個の原子の複素環（好ましくは、４〜５個の炭素原子および１個の酸素原子を有し、任意で水酸基で置換された複素環）を少なくとも１つ含むポリオールから選択される、組成物。
〔態様１０〕
態様７〜９のいずれか一態様に記載の組成物において、前記ポリオールは、４〜５個の炭素原子および１個の酸素原子を有する複素環を少なくとも２つ含み、各環の水酸基のアセタール結合によって連結されているポリオールから選択され、前記複素環は、任意に水酸基で置換されている、組成物。
〔態様１１〕
態様７〜９のいずれか一態様に記載の組成物において、前記ポリオールは、エリトリトール、キシリトール、アラビトール、リビトール、ソルビトール、マルチトール、イソマルチトール、ラクチトール、ボレミトール、マンニトール、ペンタエリトリトール、２−ヒドロキシメチル−１，３−プロパンジオール、１，１，１−トリ（ヒドロキシメチル）エタン、トリメチルプロパン、ソルビタンおよび炭水化物（スクロース、フルクトース、マルトース、グルコースおよびサッカロースなど）からなる群から選択される、組成物。
〔態様１２〕
態様１〜９のいずれか一態様に記載の組成物において、前記化合物Ａは、ソルビタン部分エステル（好ましくは、単独でまたは混合物としてのソルビタンモノ、ジおよびトリエステル；より好ましくはソルビタントリエステルを４０質量％を越えて含むソルビタン部分エステル）から選択される、組成物。
〔態様１３〕
態様１〜９のいずれか一態様に記載の組成物において、前記化合物Ａは、１つの分子当たり２〜５個のグリセリン単位を有している、ポリグリセリンのモノエステルおよび／またはジエステルから選択される、組成物。
〔態様１４〕
態様１３に記載の組成物において、前記化合物Ａは、数による割合として５０％を超える脂肪鎖が１２〜２４個の炭素原子を有している脂肪酸に由来したポリグリセリンのモノエステルおよび／またはジエステルから選択される、組成物。
〔態様１５〕
態様１３または１４に記載の組成物において、前記化合物Ａは、ジグリセリンおよび／またはトリグリセリンの、モノエステルおよび／またはジエステルから選択される、組成物。
〔態様１６〕
態様１５に記載の組成物において、ジグリセリンおよび／またはトリグリセリンの前記部分エステルは、オレイン酸およびジグリセリンのモノエステルおよび／またはジエステルを少なくとも５０質量％含む、組成物。
〔態様１７〕
態様１〜１６のいずれか一態様に記載の組成物において、前記組成物は、第３の添加剤をさらに含んでおり、前記第３の添加剤は、次式（Ｖ）のトリアゾール誘導体を含む、組成物。
【化１４】
0006453911.tif 000022
（式中：
・Ｒ１４は、水素原子、直鎖または分岐鎖のＣ１−Ｃ８脂肪族炭化水素基、およびカルボキシル基（−ＣＯ２Ｈ）からなる群から選択され、
・Ｒ１５とＲ１８は同一または異なって、互いに独立して、水素原子、および直鎖または分岐鎖の、飽和又は不飽和の、Ｃ１−Ｃ３３脂肪族炭化水素基からなる群から選択された基を表わし、前記脂肪族炭化水素基は、任意で、１つ以上の酸素原子を、カルボニル基（−ＣＯ−）および／またはカルボキシル基（−ＣＯ２Ｈ）として含み、
前記Ｒ１５およびＲ１８は、任意で、Ｒ１５と結合している窒素原子を含む５〜８個の原子とともに環を形成し、この場合、Ｒ１５とＲ１８は同一で、直鎖または分岐鎖の、飽和又は不飽和の、Ｃ１−Ｃ３３脂肪族炭化水素基を構成し、任意で、カルボニル基（−ＣＯ−）および／またはカルボキシル基（−ＣＯ２Ｈ）との形状として、１つ以上の酸素原子で置換され、
・Ｒ１６とＲ１７は同一または異なって、互いに独立して、水素原子、および２〜２００個の炭素原子を有する、直鎖または分岐鎖の、飽和又は不飽和の、環状または非環状の脂肪族炭化水素基から選択された基を表わす）
〔態様１８〕
態様１７に記載の組成物において、前記トリアゾール誘導体は、式（Ｖ）において、Ｒ１６とＲ１７が同一または異なって、互いに独立しており、水素原子、および数平均分子量（Ｍｎ）２００〜３０００の脂肪族炭化水素基から選択された群を表わす、組成物。
〔態様１９〕
態様１７または１８に記載の組成物において、前記トリアゾール誘導体は、次式（ＶＩ）によって表わされる、組成物。
【化１５】
0006453911.tif 000023
（式中、Ｒ１４、Ｒ１６およびＲ１７は態様１７または１８に定義されている。）
〔態様２０〕
態様１７または１８に記載の組成物において、前記トリアゾール誘導体が次式（ＶＩＩ）によって表わされる、組成物。
【化１６】
0006453911.tif 000024
（式中、Ｒ１４、Ｒ１６およびＲ１７は態様１７または１８に定義されている。）
〔態様２１〕
態様１７または１８に記載の組成物において、前記第３の添加剤は、態様１９および２０にそれぞれ定義される式（ＶＩ）および（ＶＩＩ）のトリアゾール誘導体の混合物を含む、組成物。
〔態様２２〕
態様１７〜２１のいずれか一態様に記載の組成物において、前記トリアゾール誘導体は、次式（ＶＩＩＩ）のアミノトリアゾールと、次式（ＩＸ）の二酸および／または次式（Ｘ）の無水コハク酸との反応によって得られる、組成物。
【化１７】
0006453911.tif 000025
（式中、Ｒ１４、Ｒ１６およびＲ１７は態様１７または１８に定義されている。）
〔態様２３〕
５００質量ｐｐｍ以下のイオウ含有量を有するディーゼル燃料（好ましくはバイオディーゼル燃料を含む）における、態様１〜２２のいずれか一態様に記載された添加剤組成物の使用。
〔態様２４〕
５００質量ｐｐｍ以下のイオウ含有量を有するディーゼル燃料であって、態様１〜２２のいずれか一態様に記載された添加剤組成物を少なくとも５質量ｐｐｍ含む、ディーゼル燃料。
〔態様２５〕
態様２４のディーゼル燃料において、バイオディーゼル燃料を３０体積％以下で含む、ディーゼル燃料。
〔態様２６〕
態様２４または２５に記載のディーゼル燃料において、酸化防止剤、燃料油助燃剤、腐食抑制剤、低温動作添加剤、染料、解乳化剤、金属不活性化剤、消泡剤、セタン価向上剤、潤滑性添加剤、共溶剤および相溶化剤から選択された少なくとも１つ以上の他の添加剤をさらに含む、ディーゼル燃料。
〔態様２７〕
態様２４〜２６のいずれか一態様に記載のディーゼル燃料において、第１および第２の添加剤の質量濃度、および任意に加えられる、第３の添加剤の質量濃度は、それぞれ５〜５０００ｐｐｍの範囲である、ディーゼル燃料。
〔態様２８〕
エンジン性能の改善のための、ディーゼルエンジンにおける態様２４〜２７のいずれか一態様に記載されたディーゼル燃料の使用。
〔態様２９〕
態様２８に記載の使用において、前記ディーゼルエンジン中のデポジット発生を抑制するための、使用。
〔態様３０〕
態様２８または２９に記載の使用において、前記エンジンは、直接噴射エンジン（好ましくは高圧射出方式「コモンレール」）である、使用。
〔態様３１〕
態様２８〜３０のいずれか一態様に記載の使用において、前記エンジンの燃費を減少（「燃料エコ」効果）させる、使用。
〔態様３２〕
態様２８〜３１のいずれか一態様に記載の使用において、前記エンジンの動力の損失を最小限にする、使用。
〔態様３３〕
態様２８〜３２のいずれか一態様に記載の使用において、前記エンジンの射出方式の内部成分中のセッケンおよび／またはラッカーのデポジットの発生を制限することによって、前記エンジンの清浄度を維持する（「キープクリーン」効果）、使用。
〔態様３４〕
態様２８〜３３のいずれか一態様に記載の使用において、内部部品中のセッケンおよび／またはラッカーのデポジットを、少なくとも部分的に除去することによって、前記エンジンの射出方式の汚染された内部部品を清浄化する（治癒的な「クリーンアップ」効果）、使用。
【図１】
0006453911.tif 000031
【図２】
0006453911.tif 000032
【図３】
0006453911.tif 000033
【図４】
0006453911.tif 000034